(57)【要約】漂白系および選択された香料組成物を含んでなる洗濯およびクリーニング組成物が提供され、ここでその香料組成物はエステル、エーテル、アルコール、アルデヒド、ケトン、ニトリル、ラクトン、シッフ塩基、テルペンおよびその誘導体、環式アルケン、環式オキシド、オキシムおよびそれらの混合物の不飽和香料成分の種類から選択される香料成分を含んでいる。不飽和物質の量が香料組成物の少くとも４０重量％である香料組成物もここでは提供される。【特許請求の範囲】
【請求項１】
少くとも８０％のブリーチ安定性インデックスおよび／または少くとも６の香気強度で評価ＡまたはＢの香気特性を有して、エステル、エーテル、アルコール、アルデヒド、ケトン、ニトリル、ラクトン、シッフ塩基、テルペンおよびその誘導体、環式アルケン、環式オキシド、オキシムおよびそれらの混合物の種類から選択される香料成分を含んでなり、不飽和物質の量が香料組成物の少くとも４０重量％である、香料組成物。
【請求項２】
漂白系および香料組成物を含んでなり、漂白系が少くとも８０％のブリーチ安定性インデックス（ＢＳＩ）および／または少くとも６の香気強度で評価ＡまたはＢの香気特性を有し、香料組成物がエステル、エーテル、アルコール、アルデヒド、ケトン、ニトリル、ラクトン、シッフ塩基、テルペンおよびその誘導体、環式アルケン、環式オキシド、オキシムおよびそれらの混合物の不飽和香料成分の種類から選択される香料成分を含んでなる、洗濯およびクリーニング組成物。
【請求項３】
不飽和香料成分の量が、香料組成物の２０重量％以上の量である、請求項２に記載の組成物。
【請求項４】
不飽和香料成分の量が、香料組成物の少くとも５０重量％、最も好ましくは少くとも７０％である、請求項１〜３のいずれか一項に記載の組成物。
【請求項５】
香料組成物が、洗濯およびクリーニング組成物の０．０１〜１０重量％、好ましくは０．０５〜５％、更に好ましくは０．１〜３％の量で存在する、請求項１〜４のいずれか一項に記載の組成物。
【請求項６】
漂白系が、洗濯洗浄液へ有機ペルオキシ酸ブリーチを供しうる系であって、その漂白系が：
ｉ）有機ペルオキシ酸ブリーチ前駆体化合物と組み合わされた過酸化水素源
ｉｉ）前形成有機ペルオキシ酸
ｉｉｉ）ハロゲンブリーチ成分
ｉｖ）過硫酸塩および
ｖ）それらの混合物
から選択される、請求項１〜５のいずれか一項に記載の組成物。
【請求項７】
漂白系が、ペルオキシ酸、好ましくは前形成有機ペルオキシ酸であり、更に好ましくはフタルイミドペルオキシヘキサン酸である、請求項１〜６のいずれか一項に記載の組成物。
【請求項８】
組成物が、洗剤活性物質を更に含んでなる、請求項１〜７のいずれか一項に記載の組成物。
【請求項９】
不飽和香料成分が、少くとも８０％のブリーチ安定性インデックス、評価ＡまたはＢの香気インパクトおよびエージング、および少くとも６の香気強度を有し、好ましくは非環式エステル、脂肪族エステル、環式エステル、芳香族エステル、非環式エーテル、環式エーテル、芳香族エーテル、一級アルコール、三級アルコール、芳香族アルコール、環式アルコール、脂肪族アルデヒド、環式アルデヒド、脂肪族一級アルデヒド、芳香族アルデヒド、三級アルデヒド、脂肪族ケトン、芳香族ケトン、環式ケトン、大環式ケトン、脂肪族ニトリル、芳香族ニトリル、環式ニトリル、１，２‐ベンゾピロン、２‐〔〔１‐（２，４‐ジメチル‐３‐シクロヘキセニル）メチリデン〕アミノ〕‐１‐ベンゼンカルボン酸メチル、２‐〔（２‐メチルペンチリデン）アミノ〕‐１‐ベンゼンカルボン酸メチル、ジメチル‐２‐メチレンビシクロ（３，１，１）ヘプタン（６，６）、ｐ‐メンタ‐１，４（８）‐ジエンおよびそれらの混合物の種類から選択される、請求項１〜８のいずれか一項に記載の組成物。
【請求項１０】
少くとも８０％のブリーチ安定性インデックス、少くとも６の香気強度で評価ＡまたはＢの香気インパクトおよびエージングを有する不飽和香料成分が、２，６，６‐トリメチル‐１，３‐シクロヘキサジエン‐１‐カルボン酸エチル、シス‐β，γ‐ヘキセニルアセテート、２‐メチルブテン‐２‐オール‐４‐アセテート、グリコール酸、２‐ペンチルオキシ：アリルエステル、２‐ノネン酸メチル、シス‐β，γ‐ヘキセニルサリチレート、４‐メチルペンタン‐２‐オール‐２‐ブテノエート、２‐ブテン酸ヘキシル、アセチルジイソアミレン、３‐メチレン‐７‐メチル‐１‐オクテン‐７‐イルアセテート、２‐ノネン酸メチル、酢酸シトロネリル、アンゲリカ酸イソブチル、トリシクロデセニルアセテート、トリシクロデセニルプロピオネート、７‐アセチル‐１，２，３，４，５，６，７，８‐オクタヒドロ‐１，１，６，７‐テトラメチルナフタレン、ギベスコン、シクロヘキシルオキシ酢酸アリル、４（３）‐（４‐メチル‐３‐ペンテニル）‐３‐シクロヘキセニルメチルアセテート、２‐ブテン酸２‐シクロペンチルシクロペンチル、６‐ブチル‐３，６‐ジヒドロ‐２，４‐ジメチル‐２‐ヒドロピラン、３，６‐ジヒドロ‐４，６‐ジメチル‐２‐フェニル‐２‐ヒドロピラン、９‐（メチルオキシ）トリシクロ〔５，２，１，０２，６〕デカ‐３‐エン、β，γ‐ヘキセノール、３，７‐ジメチル‐６‐オクテン‐１‐オール、シス‐３‐ヘキセノール、９‐デセン‐１‐オール、ゲラニオール、２，６‐ジメチル‐７‐オクテン‐２‐オール、リナロール、ジヒドロミルセノール、３，７‐ジメチル‐１，６‐オクタジエン‐３‐オール、４‐メチル‐３‐デセン‐５‐オール、アミルビニルカルビノール、３‐フェニル‐２‐プロペン‐１‐オール、２‐メチル‐４‐フェニル‐１‐ペンタノール、２‐エチル‐４‐（２，２，３‐トリメチル‐３‐シクロペンテン‐１‐イル）‐２‐ブテン‐１‐オール、４，７‐メタノ‐１Ｈ‐インデン‐５‐オール、３ａ，４，５，６，７，７ａ‐ヘキサヒドロ‐２（または３），４‐ジメチル，ジメチルシクロヘキセンメタノール、５‐（２，２，３‐トリメチル‐３‐シクロペンテニル）‐３‐メチルペンタン‐２‐オール、１‐ｐ‐メテン‐４‐オール、テルピネオール、アンブリノールＬ２０、３，７‐ジメチル‐６‐オクテン‐１‐アール、２‐メチル‐４‐（２，６，６‐トリメチル‐１‐シクロヘキセニル）‐２‐ブテナール、１‐メチル‐４‐（４‐メチルペンチル）‐３‐シクロヘキセンカルボアルデヒド、イソプロピルミリステート中５０％２，７‐ジメチルオクタ‐５‐エン‐４‐オン、ヘキサヒドロテトラメチルメタノナフタレノン、４‐ペンテン‐１‐オン、１‐（５，５‐ジメチル‐１‐シクロヘキセン‐１‐イル）、５，８‐メタノ‐２Ｈ‐１‐ベンゾピラン、６‐エチリデンオクタヒドロ‐、２‐ブテン‐１‐オン、１‐（２，６，６‐トリメチル‐２‐シクロヘキセン‐１‐イル）‐、ジエチルジメチルシクロヘキサ‐２‐エン‐１‐オン、２‐ブテン‐１‐オン、１‐（２，６，６‐トリメチル‐１‐シクロヘキセン‐１‐イル）‐２，５，１０‐トリメチル‐２，５，９‐シクロドデカトリエン‐１‐イルメチルケトン、メチルセドレ‐８‐エニルケトン、オキサシクロヘキサデセン‐２‐オン、３，７‐ジメチル‐２，６‐オクタジエンニトリル、３，１２‐トリデカジエンニトリル、アイリスニトリル、オゾニル、テアモニル、５‐フェニル‐３‐メチルペンテン‐２‐酸ニトリル、２‐ベンジル‐２‐メチル‐３‐ブテンニトリル、ローズニトリル、１，２‐ベンゾピロン、２‐〔〔１‐（２，４‐ジメチル‐３‐シクロヘキセニル）メチリデン〕アミノ〕‐１‐ベンゼンカルボン酸メチル、２‐〔（２‐メチルペンチリデン）アミノ〕‐１‐ベンゼンカルボン酸メチル、ジメチル‐２‐メチレンビシクロ（３，１，１）ヘプタン（６，６）、ｐ‐メンタ‐１，４（８）‐ジエンおよびそれらの混合物から選択される、請求項９に記載の組成物。
【請求項１１】
組成物が、液体組成物、好ましくは液体水性組成物、更に好ましくは液体水性懸濁物である、請求項１〜１０のいずれか一項に記載の組成物。
【請求項１２】
請求項１〜１１のいずれか一項に記載された組成物と表面を接触させるステップからなる、布帛を処理するための方法。
【発明の詳細な説明】
【０００１】
【発明の分野】
本発明は香料組成物、特に漂白系と一緒にこのような香料組成物を配合した洗濯およびクリーニング組成物に関する。
【０００２】
【発明の背景】
ほとんどの消費者は、香りのよい洗剤製品を期待し、これらの製品で洗濯された布帛および他の物品も快いフレグランスを有することを期待するようになってきた。更に、香料は、嗅覚的審美効果をもたらすそれらの能力により、清潔さのシグナルとして機能することができる。
したがって、このような製品に香料物質を加えることは望ましく、商業的にも有益である。香料添加物は洗濯組成物を消費者にとり更に審美的に快くさせ、一部の場合には香料はそれで処理された布帛に快いフレグランスを付与する。しかしながら、水性洗濯浴から布帛上への香料キャリーオーバーの量は大抵ぎりぎりである。実際に、香料で出会う問題はそれらの揮発性であって、多くの香料成分がクリーニング成分、特にアルカリおよび漂白系の存在下で破壊または毀損されうる。
【０００３】
ペルオキシ酸、更に具体的には前形成ペルオキシ酸のような漂白系は、有効な汚れ除去剤として当業界で知られている。
本発明者らは、香料酸化の問題がペルオキシ酸、更に具体的には前形成ペルオキシ酸のような漂白系で特に劣悪化しうることをみいだした。
更に、漂白系を配合した香料入り洗濯およびクリーニング組成物の処方でもう１つの問題は、香料成分の存在下で活性の喪失を示すブリーチ、特にペルオキシ酸、更に具体的には前形成ペルオキシ酸の傾向であることもわかった。
【０００４】
この問題に対する１つの解決法は香料のカプセル化である。これは処方の費用および複雑さを増し、いつも十分な防護を施しうるわけではない。
もう１つの解決法はＥＰ０，２９９，５６１で開示されているような完全飽和香料を用いることである。実際に、飽和香料はずっと以前から知られており、香水業界で広く用いられてきた。それらの広汎な使用について１つの理由は、安定性および香気性能に関してそれらの良好な性能である。しかしながら、上記開示で示された当業界の発展にもかかわらず、ブリーチ含有環境下で安定な香料を提供しうる別な香料組成物について必要性がなお存在している。
この問題に対するもう１つの解決法はブリーチ系レベルの減少である。洗浄に用いられるブリーチ系レベルの減少はこれらの問題を好転させやすいが、これには汚れ除去能力に著しくネガティブな作用を伴う。
【０００５】
このように、洗剤業者は、香料成分の劣化および／または漂白系の活性喪失を避けながら、汚れ／しみ除去性を最大にする製品を処方するという難題に直面している。
本発明者らは、特定種の香料原料の提供がこのような必要性を満たすことを、意外にもみいだした。
【０００６】
したがって、本発明の目的は、特にこのような漂白系が前形成ペルオキシ酸である場合に、洗浄液中および貯蔵時の製品中で、優れた漂白特性のみならず、布帛に優れた香料フレグランスをもたらす、洗濯洗浄方法で使用に適した組成物を提供することである。
本発明の別な目的は、有効な汚れ除去性を示す、洗濯洗浄方法で使用に適した組成物を提供することである。
香料が漂白系の存在下で安定であり、同時に香料または漂白系いずれの性能にとっても有害でない、香料入り組成物および漂白系を含有したその洗濯組成物を提供することも、本発明の目的である。
【０００７】
【発明の要旨】
少くとも８０％のブリーチ安定性インデックスおよび／または少くとも６の香気強度で評価ＡまたはＢの香気特性を有して、エステル、エーテル、アルコール、アルデヒド、ケトン、ニトリル、ラクトン、シッフ塩基、テルペンおよびその誘導体、環式アルケン、環式オキシド、オキシムおよびそれらの混合物の不飽和香料成分の種類から選択される香料成分を含んでなり、不飽和物質の量が香料組成物の少くとも４０重量％である、香料組成物が提供される。
【０００８】
本発明のもう１つの面は、少くとも８０％のブリーチ安定性インデックス（ＢＳＩ）および／または少くとも６の香気強度で評価ＡまたはＢの香気特性を有して、エステル、エーテル、アルコール、アルデヒド、ケトン、ニトリル、ラクトン、シッフ塩基、テルペンおよびその誘導体、環式アルケン、環式オキシド、オキシムおよびそれらの混合物の不飽和香料成分の種類から選択される香料成分を含む香料組成物と、漂白系とを含んでなる洗濯およびクリーニング組成物である。
【０００９】
【発明の具体的な説明】
香料組成物
本発明の香料組成物の１つの本質的特徴は、不飽和香料成分が少くとも８０％のブリーチ安定性インデックス（ＢＳＩ）および／または少くとも６の香気強度で評価ＡまたはＢの香気特性を有していることである。
【００１０】
少くとも８０％のブリーチ安定性インデックス（ＢＳＩ）とは、試験される香料成分の各々をブリーチ含有マトリックスに配合した組成物が、４０℃で２週間後に、２０％以上、好ましくは１５％以上、更に好ましくは１０％以上、最も好ましくは５％以上のＡｖＯ損失を示さないことを意味している。この試験では、試験される純粋な香料化学品を可溶化剤、即ち平均３モルのエチレンオキシドと縮合されたナトリウムＣ１０‐Ｃ１８アルキルサルフェート（ＡＥ３Ｓ）で０．２％に希釈し、その後最終製品中に配合してから、エージング促進試験に付した。エージング促進試験は次のように行われる：
香料成分を配合した最終製品の各々１５〜２０ｇを取り出して、４０℃で２週間にわたりオーブンに入れた。対照から貯蔵前におよびエージングされた製品から貯蔵後にＡｖＯを測定して、ＡｖＯの差異を損失％として表示することにより、エージングされたサンプルを、調製したばかりの香料入り製品（対照）と比較した。試験用の無香料最終製品処方は次の通りである：
2004513188.tif 000002
略号の意味は、後述の例の前で示されている。
【００１１】
経時的なブリーチ含有組成物の有効酸素（ＡｖＯ）の損失は、ブリーチが過剰のヨウ化カリウムで還元されて、形成されたヨウ素がチオ硫酸ナトリウムで滴定される、ヨウ素滴定法で測定しうる。この方法は当業界で周知であり、例えばＩｎｔｅｒｏｘのＡ Ｂｌｅａｃｈｅｒｓ Ｈａｎｄｂｏｏｋで公表されている。一方、過酸濃度も過酸に関する文献で記載されたクロマトグラフィー法を用いて測定しうる（Ｆ．Ｄｉ Ｆｕｒｉａ ｅｔ ａｌ．，Ｇａｓ−ｌｉｑｕｉｄ Ｃｈｒｏｍａｔｏｇｒａｐｈｙ Ｍｅｔｈｏｄ ｆｏｒ Ｄｅｔｅｒｍｉｎａｔｉｏｎ ｏｆ Ｐｅｒａｃｉｄｓ，Ａｎａｌｙｓｔ，Ｖｏｌ．１１３，Ｍａｙ １９８８，ｐ．７９３−７９５）。
【００１２】
本発明の更にもう１つの本質的特徴は、香料成分が良好なインパクトおよびエージング特性も示すことである。良好な特性のインパクトおよびエージングとは、不飽和香料成分の各々が、下記試験で記載された通りに、評価ＡまたはＢの香気特性および少くとも６の香気強度を有することを意味する：
【００１３】
香気強度インデックス法
香気強度インデックスとは、試験される純粋な香料化学品を可溶化剤、即ち平均３モルのエチレンオキシドと縮合されたナトリウムＣ１０‐Ｃ１８アルキルサルフェート（ＡＥ３Ｓ）で０．２％に希釈し、その後最終製品中に配合してから、室温で２４時間貯蔵することを意味する。このパーセンテージは使用レベルをよく表わしている。ＢＳＩ試験用の無香料最終製品処方は前記の通りである。
上記のように室温で２４時間の貯蔵後に、香料成分を含有した製品および無香料製品の各々をプラスチックカップへ入れて、香気評価のエキスパートパネリストに渡した。エキスパートパネリストは香気グレーディングで少くとも６月間にわたり訓練された評価者であり、そのグレーディングは対照と比較して正確性および再現性について逐次チェックされる。各香料成分について、パネリストへ２製品：ある対照（無香料製品）およびサンプルを渡した。パネリストへ２〜９香気強度スケールで双方のサンプル製品をランク付けするよう依頼したが、ここで２〜４は香料が検出されず基本臭のみであり、９は非常に強い香気が存在して基本臭がないことである。そのスケールは次の通りである：
2004513188.tif 000003
【００１４】
加えて、パネリストへＡ〜Ｄ香気特性スケールで双方の香りづけストリップをランク付けするよう依頼したが、ここでＡは香気特性に変化なし、Ｄは不快な香気特性である。そのスケールは次の通りである：
2004513188.tif 000004
【００１５】
評価された香料成分の中では、評価ＡまたはＢの香気特性変化および少くとも６の香気強度と評価されたもののみが残され、更に下記のエージング促進試験へ付された：香料成分を配合した最終製品１５〜２０ｇを取り出して、４０℃で２週間にわたりオーブンに入れた。エージングされたサンプルは、同じ香料成分を配合して室温で２週間貯蔵された最終製品１５〜２０ｇからなる対照と比較した。
２週間のエージング促進試験後に、サンプルが前記の通りに香気特性変化および香気強度について評価された。
好ましい不飽和香料成分は、エージング促進試験後に、評価ＡまたはＢの香気特性および少くとも６の香気強度をなお有したものである。
【００１６】
本発明の香料組成物の更にもう１つの本質的特徴は、香料組成物が香料組成物の少くとも４０重量％、好ましくは少くとも５０％、更に好ましくは少くとも７０％の量で不飽和香料成分を含有していることである。
香料が漂白組成物で用いられるとき、香料組成物は好ましくは香料組成物の２０重量％以上、好ましくは少くとも５０％、最も好ましくは少くとも７０％の量で不飽和香料成分を含有している。
不飽和香料成分の種類は、エステル、エーテル、アルコール、アルデヒド、ケトン、ニトリル、ラクトン、シッフ塩基、テルペンおよびその誘導体、環式アルケン、環式オキシド、オキシムおよびそれらの混合物から選択される。
好ましい香料成分は、上記の種類のうち、ＢＳＩ、特性強度およびエージング性能の要件をすべて満たすものである。一部の非制限例は次の通りである：
【００１７】
ｉ）エステルの種類
好ましいエステルは非環式エステル、脂肪族エステル、環式エステル、芳香族エステルおよびそれらの混合物から選択される種類の化合物である。ここで使用に適した非環式エステル化合物は２，６，６‐トリメチル‐１，３‐シクロヘキサジエン‐１‐カルボン酸エチル（Ｑｕｅｓｔ供給のエチルサフラネート）である。ここで使用に適した脂肪族エステル化合物は、シス‐β，γ‐ヘキセニルアセテート（Ｍｉｔｓｕｉ供給のシス３ヘキセニルアセテート）、２‐メチルブテン‐２‐オール‐４‐アセテート（ＩＦＦ供給の酢酸プレニル）、グリコール酸、２‐ペンチルオキシ：アリルエステル、２‐ノネン酸メチル（Ｑｕｅｓｔ供給のビューバーテート）、シス‐β，γ‐ヘキセニルサリチレート、４‐メチルペンタン‐２‐オール‐２‐ブテノエート（Ｈ＆Ｒ供給のフルチナト．ｅｘｐ）、２‐ブテン酸ヘキシル（Ｈ＆Ｒ供給のクロトン酸ヘキシル）、アセチルジイソアミレン（ＩＦＦ供給のカオボン）、３‐メチレン‐７‐メチル‐１‐オクテン‐７‐イルアセテート（Ｑｕｅｓｔ供給の粗製酢酸ミルセニル）、２‐ノネン酸メチル、酢酸シトロネリル、アンゲリカ酸イソブチルおよびそれらの混合物から選択される。適切な環式エステル化合物は、トリシクロデセニルアセテート（ＩＦＦ供給のフロルアセテート）、トリシクロデセニルプロピオネート（ＩＦＦ供給のフルテン）、７‐アセチル‐１，２，３，４，５，６，７，８‐オクタヒドロ‐１，１，６，７‐テトラメチルナフタレン（ＩＦＦ供給のイソＥスーパー）、２‐エチル‐６，６‐ジメチル‐２‐シクロヘキセンカルボン酸エチル＆２，３，６，６‐テトラメチル‐２‐シクロヘキセンカルボン酸エチル（Ｇｉｖａｕｄａｎ−Ｒｏｕｒｅ供給のギベスコン）、シクロヘキシルオキシ酢酸アリル（Ｈ＆Ｒ供給のｉｓｏａｎａｎａｔ ６６０５６７）、４（３）‐（４‐メチル‐３‐ペンテニル）‐３‐シクロヘキセニルメチルアセテート、２‐ブテン酸２‐シクロペンチルシクロペンチル、Ｈ＆Ｒのダチラトおよびそれらの混合物から選択される。
【００１８】
ｉｉ）エーテルの種類
好ましいエーテルは、非環式エーテル、環式エーテル、芳香族エーテルおよびそれらの混合物から選択される種類の化合物である。ここで使用に適した非環式エーテル化合物は、６‐ブチル‐３，６‐ジヒドロ‐２，４‐ジメチル‐２‐ヒドロピラン（Ｇｙｒａｎｅ）、３，６‐ジヒドロ‐４，６‐ジメチル‐２‐フェニル‐２‐ヒドロピラン（Ｐｅｌａｒｇｅｎｅ）およびそれらの混合物から選択される。適切な環式エーテル化合物は９‐（メチルオキシ）トリシクロ〔５，２，１，０２，６〕デカ‐３‐エンである。
【００１９】
ｉｉｉ）アルコールの種類
好ましいアルコールは、一級アルコール、三級アルコール、芳香族アルコール、環式アルコールおよびそれらの混合物から選択される種類の化合物である。適切な一級アルコール化合物は、β，γ‐ヘキセノール、３，７‐ジメチル‐６‐オクテン‐１‐オール（シトロネロール）、シス‐３‐ヘキセノール、９‐デセン‐１‐オール（ＩＦＦ供給のロサルバ）、ゲラニオールおよびそれらの混合物から選択される。適切な三級アルコール化合物は、２，６‐ジメチル‐７‐オクテン‐２‐オール（ＩＦＦ供給のジヒドロミルセノール）、３，７‐ジメチル‐１，６‐オクタジエン‐３‐オール（ＢＡＳＦ供給のリナロール）、４‐メチル‐３‐デセン‐５‐オール（Ｇｉｖａｕｄａｎ−Ｒｏｕｒｅ供給のウンデカベルトール）、ＩＦＦのアミルビニルカルビノールおよびそれらの混合物から選択される。適切な芳香族アルコール化合物は、３‐フェニル‐２‐プロペン‐１‐オール、２‐メチル‐４‐フェニル‐１‐ペンタノールおよびそれらの混合物から選択される。適切な環式アルコール化合物は、２‐エチル‐（２，２，３‐トリメチル‐３‐シクロペンテン‐１‐イル）‐２‐ブテン‐１‐オール（ＩＦＦ供給のサンジノール）、４，７‐メタノ‐１Ｈ‐インデン‐５‐オール、３ａ，４，５，６，７，７ａ‐ヘキサヒドロ‐２（または３），４‐ジメチル，ジメチルシクロヘキセンメタノール（ＩＦＦ供給のフロラロール）、５‐（２，２，３‐トリメチル‐３‐シクロペンテニル）‐３‐メチルペンタン‐２‐オール（Ｇｉｖａｕｄａｎ−Ｒｏｕｒｅ供給のサンダロール）、１‐ｐ‐メンテン‐４‐オール、テルピネオール、高砂のａｍｂｒｉｎｏｌ Ｌ２０およびそれらの混合物から選択される。
【００２０】
ｉｖ）アルデヒドの種類
好ましいアルデヒドは、脂肪族アルデヒド、環式アルデヒド、脂肪族一級アルデヒド、芳香族アルデヒド、三級アルデヒドおよびそれらの混合物から選択される種類の化合物である。ここで使用に適した脂肪族アルデヒドは３，７‐ジメチル‐６‐オクテン‐１‐アール（Ｒｅｙｎａｕｄ供給のシトロネラール）である。ここで使用に適した環式アルデヒドは、２‐メチル‐４‐（２，６，６‐トリメチル‐１‐シクロヘキセニル）‐２‐ブテナール（Ｈ＆Ｒ供給のボロナール）、１‐メチル‐４‐（４‐メチルペンチル）‐３‐シクロヘキセンカルボアルデヒドおよびそれらの混合物から選択される。
【００２１】
ｖ）ケトンの種類
好ましいケトンは、脂肪族ケトン、芳香族ケトン、環式ケトン、大環式ケトンおよびそれらの混合物から選択される種類の化合物である。ここで使用に適した脂肪族ケトンはイソプロピルミリステート中５０％２，７‐ジメチルオクタ‐５‐エン‐４‐オン（ＢＢＡ供給のｉｓｏｔａｇｅｔｏｎｅ ５０）である。ここで使用に適した芳香族ケトンはヘキサヒドロテトラメチルメタノナフタレノンである。ここで使用に適した環式ケトンは、４‐ペンテン‐１‐オン、１‐（５，５‐ジメチル‐１‐シクロヘキセン‐１‐イル）（Ｆｉｒｍｅｎｉｃｈ供給のネオブテノン１０％）、５，８‐メタノ‐２Ｈ‐１‐ベンゾピラン、６‐エチリデンオクタヒドロ‐、２‐ブテン‐１‐オン、１‐（２，６，６‐トリメチル‐２‐シクロヘキセン‐１‐イル）‐（Ｆｉｒｍｅｎｉｃｈ供給のα‐ダマスコン）、ジエチルジメチルシクロヘキサ‐２‐エン‐１‐オン（２種の異性体）、２‐ブテン‐１‐オン、１‐（２，６，６‐トリメチル‐１‐シクロヘキセン‐１‐イル）‐２，５，１０‐チリメチル‐２，５，９‐シクロドデカトリエン‐１‐イルメチルケトン＆異性体（ＩＦＦ供給のｔｒｉｍｏｆｉｘ ｏ）、メチルセドレ‐８‐エニルケトン（ＩＦＦ供給のＶｅｒｔｏｆｉｘ ｃｏｅｕｒ）およびそれらの混合物から選択される。ここで使用に適した大環式ケトンはオキサシクロヘキサデセン‐２‐オン（Ｆｉｒｍｅｎｉｃｈ供給のハバノリド１００％）である。
【００２２】
ｖｉ）ニトリルの種類
好ましいニトリルは、脂肪族ニトリル、芳香族ニトリル、環式ニトリルおよびそれらの混合物から選択される種類の化合物である。適切な脂肪族ニトリルは、３，７‐ジメチル‐２，６‐オクタジエンニトリル、３，１２‐トリデカジエンニトリル、アイリスニトリル、オゾニル、テアモニルおよびそれらの混合物から選択される。適切な芳香族ニトリルは、５‐フェニル‐３‐メチルペンテン‐２‐酸ニトリル、２‐ベンジル‐２‐メチル‐３‐ブテンニトリルおよびそれらの混合物から選択される。ここで使用に適した環式ニトリルは、３‐〔４，７，７‐トリメチルシシクロ（４．１．０）ヘプタ‐３‐イリデン〕プロパンニトリルおよび３‐〔４，７，７‐トリメチルシシクロ（４．１．０）ヘプタ‐３‐イリデン〕プロペンニトリルの混合物（ＰＦＷ供給のローズニトリル）である。
【００２３】
ｖｉｉ）ラクトンの種類
適切なラクトンは１，２‐ベンゾピロン（Ｒｈｏｄｉａ供給のクマリン）である。
【００２４】
ｖｉｉｉ）シッフ塩基の種類
ここで使用に適したシッフ塩基は、２‐〔〔１‐（２，４‐ジメチル‐３‐シクロヘキセニル）メチリデン〕アミノ〕‐１‐ベンゼンカルボン酸メチル（Ｑｕｅｓｔ供給のリガントラール）、２‐〔（２‐メチルペンチリデン）アミノ〕‐１‐ベンゼンカルボン酸メチル（Ｑｕｅｓｔ供給のメバントラール（ｑ））およびそれらの混合物から選択される。
【００２５】
ｉｘ）テルペンおよびその誘導体の種類
ここで使用に適したテルペンは、ジメチル‐２‐メチレンビシクロ（３，１，１）ヘプタン（６，６）（ＩＦＦ供給のβ‐ピネン）、ｐ‐メンタ‐１，４（８）ジエン（ＢＢＡ供給のテルピノレン）およびそれらの混合物から選択される。
【００２６】
少くとも８０％のＢＳＩ要件を満たす、ここで有用な更に別の不飽和香料成分には、次の香料成分がある：ＢＡＳＦのゲラニルニトリル、ＣＯＵＲＴＡＵＬＤＳのヘキシルシンナムアルデヒド、Ｑｕｅｓｔのマシール、ＢＯＲＤＡＳのメチルセドリロン、ＦＩＲＭＥＮＩＣＨのルボフロル、ＩＦＦのアリルアミルグリコレート、Ｑｕｅｓｔのアザルブレ、Ｑｕｅｓｔのカリキソル、Ｈ＆Ｒのシンナムアルコール、ＦＲＡＧＲ．ＲＥＳ．のシトロワニルｂ、Ｈ＆Ｒのジアンチーム、ＩＦＦのジメチルシクロルモル、ＩＦＦのヨノンα、ＧＩＶ−ＲＯＵＲＥのヨノンβ、ＧＩＶ−ＲＯＵＲＥのイソジャスモン、Ｑｕｅｓｔのイソロンギホラノン、ＩＦＦのライラール、Ｈ＆Ｒのマンダリル６００ １３５、ＧＩＶ−ＲＯＵＲＥのミラルジルアセテート、ＧＩＶ−ＲＯＵＲＥのネオホリオン、ＩＦＦのパンプレフリュール、ＩＦＦのパキサンバー、ＦＲＡＧＲ．ＲＥＳ．のサリチル酸プレニル、Ｈ＆Ｒのピロプルナト、ＧＩＶ−ＲＯＵＲＥのステモン、ＤＲＡＧＯＣＯのテルピネノール、ＧＩＶ−ＲＯＵＲＥのウンデシレンアルデヒド、ＩＦＦのバーダリアａ、ＧＩＶ−ＲＯＵＲＥのバーナルデヒド、高砂のアンブレトン、ＩＦＦのベーガマール、ＰＦＷのベーゴキサン、ＤＲＡＧＯＣＯのカントリル、Ｑｕｅｓｔのシトラタール ｓ ｔｗ、ＩＦＦのデケーブ、Ｑｕｅｓｔのジヒドロジャスモン、Ｑｕｅｓｔのフリューロキセン・エキストラ、高砂のフロラサントール．ｅｘｐ、ＦＩＲＭＥＮＩＣＨのガルバノレン・スーパー、Ｑｕｅｓｔのガードサイクレン、Ｑｕｅｓｔのイソブタバン、ＧＩＶ−ＲＯＵＲＥのリナリルアセテート、ＩＦＦの、ＢＢＡのマルセート、ＩＦＦのメラフリュール、ＩＦＦのオクテニルアセテート、ＩＦＦのプリスマントール、ＩＦＦのプリスミレート、Ｈ＆Ｒのプロファメサール、ＩＦＦのローズエート、ＦＲＡＧＲ．ＲＥＳ．のシルワノール、ＩＦＦのテトラメラン、ＩＦＦのバイオリフ、ＭＩＬＬＥＮＩＵＭのプリノール・スペシャル、ＭＩＬＬＥＮＩＵＭのプリニルアセテート、ＭＩＬＬＥＮＩＵＭのトランス‐２‐ヘキセナール、ＭＩＬＬＥＮＩＵＭのトランス‐２‐ヘキセノール、ＭＩＬＬＥＮＩＵＭのカールノール、ＭＩＬＬＥＮＩＵＭのカーレニルアセテートおよびそれらの混合物
もちろん、上記成分の混合物も本発明の範囲内に包含される。
【００２７】
洗濯およびクリーニング組成物
本発明のもう１つの面において、本発明の香料組成物は洗濯およびクリーニング組成物、特に漂白系を含む漂白組成物中に配合される。香料組成物の典型的な配合レベルは、洗濯およびクリーニング組成物の０．０１〜１０重量％、好ましくは０．０５〜５％、更に好ましくは０．１〜３％である。
洗濯およびクリーニング組成物には、布帛を洗濯して、クリーニングの必要な皿類、床、浴室、トイレ、キッチンおよび他の表面のような硬質表面をクリーニングするために典型的に用いられる組成物がある。したがって、洗濯およびクリーニング組成物とは、布帛クリーニング効果を発揮する洗剤組成物のみならず、硬質表面クリーニング効果を発揮する硬質表面クリーニングのような組成物も含めた意味である、と理解されるべきである。
漂白系を配合した洗濯組成物が好ましい。
洗濯およびクリーニング組成物中への香料の配合は、必要であれば、顆粒組成物ではスプレー吹付けまたは液体組成物では乳化のような慣用的配合手段により都合よく行える。
【００２８】
漂白系
本発明の洗濯およびクリーニング組成物は漂白系を含んでいる。好ましくは、
漂白系は：
ｉ）有機ペルオキシ酸ブリーチ前駆体化合物と組み合わされた過酸化水素源
ｉｉ）前形成有機ペルオキシ酸
ｉｉｉ）ハロゲンブリーチ成分
ｉｖ）過硫酸塩および
ｖ）それらの混合物
から選択される。
【００２９】
本発明の好ましい態様において、漂白系は洗浄液へ有機ペルオキシ酸ブリーチを供することができる。
１つの好ましい実施において、漂白系は過酸化水素またはその供給源および有機ペルオキシ酸ブリーチ前駆体化合物を含有している。有機ペルオキシ酸の産生はその前駆体と過酸化水素またはその供給源とのその場での反応により生じる。好ましい過酸化水素源には無機ペルヒドレートブリーチがある。別な好ましい実施では、前形成有機ペルオキシ酸が組成物中へ直接配合される。過酸化水素源および有機ペルオキシ酸前駆体の混合物を前形成有機ペルオキシ酸と共に含有した組成物も考えられる。
【００３０】
ｉ）有機ペルオキシ酸ブリーチ前駆体化合物と組み合わされた過酸化水素源
無機ペルヒドレートブリーチ
無機ペルヒドレート塩が好ましい過酸化水素源である。これらの塩は、アルカリ金属、好ましくはナトリウム塩の形で、組成物の１〜４０重量％、更に好ましくは２〜３０重量％、最も好ましくは５〜２５重量％のレベルで通常配合される。
【００３１】
無機ペルヒドレート塩の例には、ペルボレート、ペルカーボネート、ペルホスフェート、ペルサルフェートおよびペルシリケート塩がある。無機ペルヒドレート塩は通常アルカリ金属塩である。無機ペルヒドレート塩は、追加防護せずに結晶固体物として含有させてもよい。しかしながら、あるペルヒドレート塩のとき、このような顆粒組成物の好ましい実施では、顆粒製品としてペルヒドレート塩の貯蔵安定性を良くする、コートされた形態の物質を利用する。
適切な無機ペルヒドレート塩には、ペルボレートブリーチ、例えば、ナトリウムペルボレート（例えば、一または四水物）、ナトリウムカーボネートペルオキシヒドレートおよび相当する“ペルカーボネート”ブリーチ、ナトリウムピロホスフェートペルオキシヒドレート、尿素ペルオキシヒドレートおよび過酸化ナトリウムがある。
好ましいペルカーボネートブリーチは５００〜１０００μｍ範囲の平均粒径を有した乾燥粒子からなり、その粒子のうち１０重量％以下が２００μｍより小さく、上記粒子のうち１０重量％以下が１２５０μｍより大きい。場合により、ペルカーボネートはシリケート、ボレートまたは水溶性界面活性剤でコートしてもよい。ペルカーボネートはＦＭＣ、ＳｏｌｖａｙおよびＴｏｋａｉ Ｄｅｎｋａのような様々な市販元から入手しうる。
【００３２】
ペルオキシゲン漂白剤、ペルボレート、ペルカーボネート等はブリーチアクチベーターと組み合わされて、ブリーチアクチベーターに相当するペルオキシ酸を水溶液中において（即ち、洗浄プロセス中に）その場で生成する。ペルオキシ酸ブリーチ前駆体化合物は、好ましくはクリーニング組成物の０．５〜２０重量％、更に好ましくは１〜１５重量％、最も好ましくは５〜１０重量％のレベルで配合される。
【００３３】
アクチベーターの様々な非制限例はＵＳ４，９１５，８５４およびＵＳ４，４１２，９３４で開示されている。ノナノイルオキシベンゼンスルホネート（ＮＯＢＳ）、３，５，５‐トリメチルヘキサノイルオキシベンゼンスルホネート（ＩＳＯＮＯＢＳ）およびテトラアセチルエチレンジアミン（ＴＡＥＤ）、アセチルトリエチルシトレート（ＡＴＣ）アクチベーターが典型的であり、それらの混合物も用いうる。ここで有用な他の典型的なブリーチおよびアクチベーターについてはＵＳ４，６３４，５５１も参照。
【００３４】
高度に好ましいアミド誘導ブリーチアクチベーターは下記式のものである：
Ｒ１Ｎ（Ｒ５）Ｃ（Ｏ）Ｒ２Ｃ（Ｏ）Ｌ または Ｒ１Ｃ（Ｏ）Ｎ（Ｒ５）Ｒ２Ｃ（Ｏ）Ｌ
上記式中Ｒ１は６〜１２の炭素原子を有するアルキル基であり、Ｒ２は１〜６の炭素原子を有するアルキレンであり、Ｒ５はＨ、あるいは１〜１０の炭素原子を有するアルキル、アリールまたはアルカリールであり、Ｌはいずれか適切な脱離基である。脱離基は、ペルヒドロライシス（ｐｅｒｈｙｄｒｏｌｙｓｉｓ）アニオンによるブリーチアクチベーターへの求核攻撃の結果として、ブリーチアクチベーターから出される基である。好ましい脱離基はフェニルスルホネートである。
上記式のブリーチアクチベーターの好ましい例には、参考のためここに組み込まれるＵＳ特許４，６３４，５５１で記載されているような、（６‐オクタンアミドカプロイル）オキシベンゼンスルホネート、（６‐ノナンアミドカプロイル）オキシベンゼンスルホネート、（６‐デカンアミドカプロイル）オキシベンゼンスルホネートおよびそれらの混合物がある。
【００３５】
もう１つの種類のブリーチアクチベーターは、ＨｏｄｇｅらのＵＳ特許４，９６６，７２３で開示されたベンゾオキサジンタイプアクチベーターからなる。ベンゾオキサジンタイプの高度に好ましいアクチベーターは以下である：
【化１】
2004513188.tif 000005
【００３６】
更に他の種類の好ましいブリーチアクチベーターには、アシルラクタムアクチベーター、特に下記式のアシルカプロラクタムおよびアシルバレロラクタムがある：
【化２】
2004513188.tif 000006
上記式中Ｒ６はＨ、あるいは１〜１２の炭素原子を有するアルキル、アリール、アルコキシアリールまたはアルカリール基である。高度に好ましいラクタムアクチベーターには、ベンゾイルカプロラクタム、オクタノイルカプロラクタム、３，５，５‐トリメチルヘキサノイルカプロラクタム、ノナノイルカプロラクタム、デカノイルカプロラクタム、ウンデセノイルカプロラクタム、ベンゾイルバレロラクタム、オクタノイルバレロラクタム、デカノイルバレロラクタム、ウンデセノイルバレロラクタム、ノナノイルバレロラクタム、３，５，５‐トリメチルヘキサノイルバレロラクタムおよびそれらの混合物がある。過ホウ酸ナトリウム中へ吸着された、ベンゾイルカプロラクタムを含むアシルカプロラクタムについて開示した、参考のためここに組み込まれる１９８５年１０月８日付でＳａｎｄｅｒｓｏｎに発行されたＵＳ特許４，５４５，７８４も参照。
【００３７】
ｉｉ）前形成有機ペルオキシ酸
制限なく用いうる漂白剤のもう１つのカテゴリーには、前形成有機ペルオキシ酸（以下、過酸と称される）、例えば過カルボン酸漂白剤およびその塩がある。ここで用いられる有機過酸ブリーチという用語には、約２０〜約６０℃の低洗浄温度で有効な漂白能を有するとして文献で詳しく記載されている有機ペルオキシ酸およびその塩を含む。典型的な配合レベルは、組成物の０．１〜３０重量％、更に好ましくは０．５〜１８％、最も好ましくは１〜１２％である。
当業界で知られたいかなる適切な過酸もここで用いてよい。好ましくは、過酸は固形である。
【００３８】
本発明の好ましい態様において、過酸は下記一般式を有している：
Ｘ‐Ｒ‐Ｃ（Ｏ）ＯＯＨ
上記式中Ｒは少くとも１つの炭素原子を有した直鎖または分岐アルキル鎖であり、Ｘは水素、あるいはアルキル、特に１〜２４炭素原子のアルキル鎖、アリール、ハロゲン、エステル、エーテル、アミン、アミド、置換フタルアミノ、イミド、ヒドロキシド、スルフィド、サルフェート、スルホネート、カルボン酸、ヘテロ環式、ニトレート、アルデヒド、ホスホネート、ホスホン酸またはそれらの混合物からなる群より選択される置換基である。このような過酸の好ましい例は、ジペルオキシドデカン酸、モノペルオキシコハク酸のモノノニルアミドおよびそれらの混合物から選択される。
更に詳しくは、Ｒ基は好ましくは２４以内で炭素原子を有する。一方、Ｒ基は、アリール、ハロゲン、エステル、エーテル、アミン、アミド、置換フタルアミノ、イミド、ヒドロキシド、スルフィド、サルフェート、スルホネート、カルボン酸、ヘテロ環式、ニトレート、アルデヒド、ケトンまたはそれらの混合物からなる群より選択される置換基を含めて、１以上の側鎖を有する分岐アルキル鎖でもよい。
【００３９】
好ましい過酸において、Ｘ基は上記一般式によるとフタルイミド基である。そのため、特に好ましい過酸は下記一般式を有するものである：
【化３】
2004513188.tif 000007
上記式中ＲはＣ１‐２０であり、Ａ、Ｂ、ＣおよびＤは独立して水素、あるいはアルキル、ヒドロキシル、ニトロ、ハロゲン、アミノ、アンモニウム、シアニド、カルボン酸、サルフェート、スルホネート、アルデヒドまたはそれらの混合物からなる群より個別に選択される置換基である。
本発明の好ましい面において、Ｒは３〜１２の炭素原子、更に好ましくは５〜９の炭素原子を有するアルキル基である。好ましい置換基Ａ、Ｂ、ＣおよびＤは１〜５の炭素原子を有する直鎖または分岐アルキル基、更に好ましくは水素である。
好ましい過酸は、フタルイミドペルオキシヘキサン酸、フタルイミドペルオキシヘプタン酸、フタルイミドペルオキシオクタン酸、フタルイミドペルオキシノナン酸、フタルイミドペルオキシデカン酸およびそれらの混合物からなる群より選択される。
本発明の特に好ましい面において、過酸はＲがＣ５Ｈ１０であるような式を有しており、即ちフタルイミドペルオキシヘキサン酸またはＰＡＰである。この過酸は好ましくは実質的に非水溶性の固形物またはウェットケークとして用いられ、商品名ＥｕｒｏｃｏでＡｕｓｉｍｏｎｔから市販されている。
【００４０】
ここで使用に適した更に他の漂白系はジアシルペルオキシドである。ここで使用に適したジアシルペルオキシドは、脂肪族、芳香族および脂肪族‐芳香族ジアシルペルオキシドおよびそれらの混合物からなる群より選択される。
ここで使用に適した脂肪族ジアシルペルオキシドは、ジラウロイルペルオキシド、ジデカノイルペルオキシド、ジミリストイルペルオキシドまたはそれらの混合物である。ここで使用に適した芳香族ジアシルペルオキシドは、例えばベンゾイルペルオキシドである。ここで使用に適した脂肪族‐芳香族ジアシルペルオキシドは、例えばラウロイルベンゾイルペルオキシドである。このようなジアシルペルオキシドは、優れた漂白性能を発揮しながら、布帛および布帛染料にとり特に安全であるという利点を有している。
【００４１】
ｉｉｉ）次亜ハロゲン酸ブリーチ成分
もう１つの好ましい実施において、漂白系は、前記カテゴリーのうち一方または双方の代わりにまたはそれに加えて、酸化ブリーチであって、後でハライドイオンを形成する、次亜ハロゲン酸タイプの漂白剤である。次亜ハロゲン酸ブリーチは、典型的には組成物の１〜１５重量％、更に好ましくは１〜１０重量％のレベルである。
【００４２】
これらタイプのブリーチの中ではアルカリ金属およびアルカリ土類金属次亜塩素酸、次亜臭素酸および次亜ヨウ素酸が一般的であるが、クロロイソシアヌレートのようなハライドの有機ベース源である他のブリーチも用いうる。好ましいブリーチは式Ｍ（ＯＸ）ｙを有する：式中
Ｍはナトリウム、カリウム、マグネシウム、カルシウムおよびそれらの混合物から選択されるメンバーであり；
Ｏは酸素原子である；
Ｘは塩素、臭素、ヨウ素およびそれらの混合物から選択されるメンバーである；および
ｙはＭの電荷に応じて１または２である。
【００４３】
本発明の目的にとり好ましい次亜ハロゲン酸ブリーチは、次亜塩素酸ナトリウム、次亜塩素酸カリウム、次亜塩素酸カルシウム、次亜塩素酸マグネシウム、次亜臭素酸ナトリウム、次亜臭素酸カリウム、次亜臭素酸カルシウム、次亜臭素酸マグネシウム、次亜ヨウ素酸ナトリウムおよび次亜ヨウ素酸カリウム、更に好ましくは次亜塩素酸ナトリウム、次亜塩素酸カリウム、次亜塩素酸カルシウム、次亜塩素酸マグネシウム、最も好ましくは次亜塩素酸ナトリウムである。
【００４４】
ｉｖ）過硫酸塩
過硫酸塩も漂白系として本発明で用いうる。過硫酸塩ブリーチ（例えば、ＤｕＰｏｎｔ製のＯＸＯＮＥ）も用いうる。これら塩の典型的レベルは、組成物の０．１〜４０重量％、更に好ましくは１〜２０重量％、最も好ましくは２〜１５重量％である。
【００４５】
上記漂白系に加えて、本組成物は酸素漂白剤以外の漂白剤も含んでよく、これも当業界で知られており、ここで利用できる。特に興味ある非酸素漂白剤の１タイプには、スルホン化亜鉛および／またはアルミニウムフタロシアニンのような光活性化漂白剤がある。ＵＳ４，０３３，７１８参照。用いられるならば、洗剤組成物はこのようなブリーチ、特にスルホン化亜鉛フタロシアニンを典型的には０．０２５〜１．２５重量％で含有する。
【００４６】
所望であれば、漂白化合物はマンガン化合物により触媒しうる。このような化合物は当業界で周知であり、例えばＵＳ５，２４６，６２１、ＵＳ５，２４４，５９４、ＵＳ５，１９４，４１６、ＵＳ５，１１４，６０６、ＥＰ５４９，２７１Ａ１、５４９，２７２Ａ１、５４４，４４０Ａ２および５４４，４９０Ａ１で開示されたマンガンベース触媒がある。これら触媒の好ましい例には、ＭｎＩＶ２（ｕ‐Ｏ）３（１，４，７‐トリメチル‐１，４，７‐トリアザシクロノナン）２（ＰＦ６）２、ＭｎＩＩＩ２（ｕ‐Ｏ）１（ｕ‐ＯＡｃ）２（１，４，７‐トリメチル‐１，４，７‐トリアザシクロノナン）２（ＣｌＯ４）２、ＭｎＩＶ４（ｕ‐Ｏ）６（１，４，７‐トリアザシクロノナン）４（ＣｌＯ４）４、ＭｎＩＩＩＭｎＩＶ４（ｕ‐Ｏ）１（ｕ‐ＯＡｃ）２（１，４，７‐トリメチル‐１，４，７‐トリアザシクロノナン）２（ＣｌＯ４）３、ＭｎＩＶ（１，４，７‐トリメチル‐１，４，７‐トリアザシクロノナン）（ＯＣＨ３）３（ＰＦ６）およびそれらの混合物がある。他の金属ベースブリーチ触媒には、ＵＳ特許４，４３０，２４３およびＵＳ特許５，１１４，６１１で開示されたものがある。漂白を高める上でマンガンと様々な錯体リガンドとの併用も下記ＵＳ特許明細書で報告されている：４，７２８，４５５、５，２８４，９４４、５，２４６，６１２、５，２５６，７７９、５，２８０，１１７、５，２７４，１４７、５，１５３，１６１および５，２２７，０８４
【００４７】
実施上、限定ではないが、本組成物およびプロセスは水性洗浄液中で少くとも０．１ｐｐｍ程度の活性ブリーチ触媒種を供給するように調整でき、好ましくは洗濯液中で０．１〜７００ｐｐｍ、更に好ましくは１〜５００ｐｐｍの触媒種を供給する。
【００４８】
典型的には、洗濯およびクリーニング組成物は洗浄成分を含んでいる。
洗浄成分
ここで有用な界面活性剤の非制限例には、典型的には１〜５５重量％のレベルで、慣用的なＣ１１‐Ｃ１８アルキルベンゼンスルホネート（“ＬＡＳ”）、一級、分岐鎖およびランダムＣ１０‐Ｃ２０アルキルサルフェート（“ＡＳ”）、式ＣＨ３（ＣＨ２）ｘ（ＣＨＯＳＯ３−Ｍ＋）ＣＨ３およびＣＨ３（ＣＨ２）ｙ（ＣＨＯＳＯ３−Ｍ＋）ＣＨ２ＣＨ３のＣ１０‐Ｃ１８二級（２，３）アルキルサルフェート（ｘおよび（ｙ＋１）は少くとも７、好ましくは少くとも９の整数であり、Ｍは水溶性カチオン、特にナトリウムである）、不飽和サルフェート、例えばオレイルサルフェート、Ｃ１０‐Ｃ１６アルキルアルコキシサルフェート（“ＡＥｘＳ”；特にＥＯ７以内のエトキシサルフェート）、Ｃ１０‐Ｃ１８アルキルアルコキシカルボキシレート（特にＥＯ１‐５エトキシカルボキシレート）、Ｃ１０‐Ｃ１８グリセロールエーテル、Ｃ１０‐Ｃ１８アルキルポリグリコシドおよびそれらの対応硫酸化ポリグリコシド、およびＣ１２‐Ｃ１８α‐スルホン化脂肪酸エステルがある。所望であれば、慣用的なノニオン性および両性界面活性剤、例えば、Ａｌｂｒｉｇｈｔ ＆ Ｗｉｌｓｏｎから市販されているＥｍｐｉｃｏｌ ＥＳＣ ３／ＰＧ２のようないわゆる狭いピークのアルキルエトキシレートを含めたＣ１０‐Ｃ１６アルキルエトキシレート（“ＡＥ”）、Ｃ６‐Ｃ１２アルキルフェノールアルコキシレート（特にエトキシレートおよび混合エトキシ／プロポキシ）、Ｃ１２‐Ｃ１８ベタインおよびスルホベタイン（“スルタイン”）、Ｃ１０‐Ｃ１８アミンオキシド、カチオン性界面活性剤なども、全体組成物中に含有させてよい。Ｃ１０‐Ｃ１８Ｎ‐アルキルポリヒドロキシ脂肪酸アミドも用いうる。典型例にはＣ１２‐Ｃ１８Ｎ‐メチルグルカミドがある。ＷＯ９，２０６，１５４参照。他の糖誘導界面活性剤には、Ｃ１０‐Ｃ１８Ｎ‐（３‐メトキシプロピル）グルカミドのようなＮ‐アルコキシポリヒドロキシ脂肪酸アミドがある。Ｎ‐プロピル〜Ｎ‐ヘキシルＣ１２‐Ｃ１８グルカミドは低起泡性向けに用いうる。Ｃ１０‐Ｃ２０慣用石鹸も用いてよい。高起泡性が望まれるならば、分岐鎖Ｃ１０‐Ｃ１６石鹸も用いてよい。アニオン性およびノニオン性界面活性剤の混合物が特に有用である。他の慣用的な有用界面活性剤は標準テキストに掲載されている。
【００４９】
完全処方洗濯およびクリーニング組成物は、好ましくは、前記成分に加えて、下記成分のうち１種以上を含有している。
【００５０】
ビルダー
洗剤ビルダーは、ミネラル硬度のコントロールに役立てるため、本組成物中に場合により含有させることができる。無機および有機ビルダーが用いうる。ビルダーは、粒状汚れの除去に役立てるために布帛洗濯組成物中で典型的に用いられる。
ビルダーのレベルは、組成物の最終用途およびその望ましい物理的形態に応じて広く変わる。存在するとき、組成物は典型的には少くとも１％、好ましくは１〜８０％のビルダーを含む。液体処方物は、典型的には５〜５０％、更に典型的には５〜３０％の洗剤ビルダーを含む。顆粒処方物は、典型的には１〜８０％、更に典型的には５〜５０％の洗剤ビルダーを含む。しかしながら、それより低いまたは高いレベルのビルダーが除外されるわけではない。
【００５１】
無機またはＰ含有洗剤ビルダーには、ポリホスフェート（トリポリホスフェート、ピロホスフェートおよびガラス質ポリマーメタホスフェートで例示される）、ホスホネート、フィチン酸、シリケート、カーボネート（ビカーボネートおよびセスキカーボネートを含む）、サルフェートおよびアルミノシリケートのアルカリ金属、アンモニウムおよびアルカノールアンモニウム塩があるが、それらに限定されない。しかしながら、非リン酸ビルダーも一部の地方では必要とされている。重要なことは、本組成物がシトレートのような（ホスフェートと比較して）いわゆる“弱い”ビルダーの存在下、あるいはゼオライトまたは積層シリケートビルダーで生じうるいわゆる“アンダービルト”状況下であっても意外によく機能することである。
【００５２】
シリケートビルダーの例は、アルカリ金属シリケート、特に１．０：１〜３．２：１範囲のＳｉＯ２：Ｎａ２Ｏ比を有するもの、およびＵＳ４，６６４，８３９で記載された積層ナトリウムシリケートのような積層シリケートである。ＮａＳＫＳ‐６はＨｏｅｃｈｓｔから販売されている結晶積層シリケートの商標名である（一般的にここでは“ＳＫＳ‐６”と略記される）。ゼオライトビルダーと異なり、ＮａＳＫＳ‐６シリケートビルダーはアルミニウムを含んでいない。ＮａＳＫＳ‐６はδ‐Ｎａ２ＳｉＯ５形態の積層シリケートである。それはＤＥ‐Ａ‐３，４１７，６４９およびＤＥ‐Ａ‐３，７４２，０４３で記載されたような方法により製造しうる。ＳＫＳ‐６がここで使用上高度に好ましい積層シリケートであるが、他のこのような積層シリケート、例えば一般式ＮａＭＳｉｘＯ２ｘ＋１・ｙＨ２Ｏを有したもの（Ｍはナトリウムまたは水素であり、ｘは１．９〜４、好ましくは２の数であり、ｙは０〜２０、好ましくは０の数である）もここでは用いうる。Ｈｏｅｃｈｓｔによる様々な他の積層シリケートには、α、βおよびγ形としてＮａＳＫＳ‐５、ＮａＳＫＳ‐７およびＮａＳＫＳ‐１１がある。上記のようなδ‐Ｎａ２ＳｉＯ５（ＮａＳＫＳ‐６形）がここでは使用上最も好ましい。顆粒処方でクリスプニング（ｃｒｉｓｐｅｎｉｎｇ）剤として、酸素ブリーチ用の安定剤として、および起泡コントロール系の成分として機能しうる、例えばマグネシウムシリケートのような他のシリケートも有用である。
【００５３】
カーボネートビルダーの例は、ＤＥ２，３２１，００１で開示されているようなアルカリ土類およびアルカリ金属カーボネートである。
【００５４】
アルミノシリケートビルダーも本発明で有用である。アルミノシリケートビルダーはほとんどの現行市販重質顆粒洗剤組成物で非常に重要であり、液体洗剤処方で重要なビルダー成分でもある。アルミノシリケートビルダーには下記実験式を有するものがある：
Ｍｚ／ｎ〔（ＡｌＯ２）ｚ（ＳｉＯ２）ｙ〕・ｘＨ２Ｏ
上記式中ｚおよびｙは通常少くとも６の整数であり、ｚ対ｙのモル比は１．０〜０の範囲であり、ｘは０〜２６４の整数であり、ＭはＩＡまたはＩＩＡ族元素、例えば原子価ｎのＮａ、Ｋ、Ｍｇ、Ｃａである。
【００５５】
有用なアルミノシリケートイオン交換物質が市販されている。これらのアルミノシリケートは構造上結晶でもまたは非晶質でもよく、天然アルミノシリケートでもまたは合成で誘導してもよい。アルミノシリケートイオン交換物質の製造方法はＵＳ３，９８５，６６９で開示されている。ここで有用な好ましい合成結晶アルミノシリケートイオン交換物質は、ゼオライトＡ、ゼオライトＰ（Ｂ）、ゼオライトＭＡＰおよびゼオライトＸという名称で市販されている。特に好ましい態様において、結晶アルミノシリケートイオン交換物質は下記式を有している：
Ｎａ１２〔（ＡｌＯ２）１２（ＳｉＯ２）１２〕・ｘＨ２Ｏ
上記式中ｘは２０〜３０、特に２７である。この物質はゼオライトＡとして知られている。脱水ゼオライト（ｘ＝０〜１０）もここで用いてよい。好ましくは、アルミノシリケートは直径０．１〜１０ミクロンの粒径を有している。
【００５６】
本発明の目的に適した有機洗剤ビルダーには様々なポリカルボキシレート化合物があるが、それらに限定されない。ここで用いられる“ポリカルボキシレート”とは、多数のカルボキシレート基、好ましくは少くとも３つのカルボキシレートを有した化合物に関する。ポリカルボキシレートビルダーは通常酸形で組成物に加えられるが、中和塩の形で加えてもよい。塩形で利用される場合には、ナトリウム、カリウムおよびリチウムのようなアルカリ金属、またはアルカノールアンモニウム塩が好ましい。
【００５７】
ポリカルボキシレートビルダーの中には、様々なカテゴリーの有用な物質が含まれている。ポリカルボキシレートビルダーの１つの重要なカテゴリーには、ＢｅｒｇのＵＳ３，１２８，２８７、ＵＳ３，６３５，８３０で開示されているような、オキシジサクシネートを含めた、エーテルポリカルボキシレートがある。ＵＳ４，６６３，０７１の“ＴＭＳ／ＴＤＳ”ビルダーも参照。適切なエーテルポリカルボキシレートには、ＵＳ３，９２３，６７９、３，８３５，１６３、４，１５８，６３５、４，１２０，８７４および４，１０２，９０３で記載されたような環式化合物、特に脂環式化合物もある。
【００５８】
他の有用な洗浄ビルダーには、エーテルヒドロキシポリカルボキシレート、無水マレイン酸とエチレンまたはビニルメチルエーテルとのコポリマー、１，３，５‐トリヒドロキシベンゼン‐２，４，６‐トリスルホン酸およびカルボキシメチルオキシコハク酸、エチレンジアミン四酢酸およびニトリロ三酢酸のようなポリ酢酸の様々なアルカリ金属、アンモニウムおよび置換アンモニウム塩、並びにメリット酸、ピロメリット酸、コハク酸、オキシジコハク酸、ポリマレイン酸、ベンゼン‐１，３，５‐トリカルボン酸、カルボキシメチルオキシコハク酸およびそれらの可溶性塩のようなポリカルボキシレートがある。
【００５９】
シトレートビルダー、例えばクエン酸およびその可溶性塩（特にナトリウム塩）は、再生源からのそれらの利用性およびそれらの生分解性のために、重質液体洗剤処方で特に重要なポリカルボキシレートビルダーである。シトレートは、特にゼオライトおよび／または積層シリケートビルダーと組合せて、顆粒組成物で用いうる。オキシジサクシネートもこのような組成物および組合せで特に有用である。
【００６０】
本発明の洗剤組成物では、ＵＳ４，５６６，９８４で開示されている３，３‐ジカルボキシ‐４‐オキサ‐１，６‐ヘキサンジオエート類および関連化合物も適している。有用なコハク酸ビルダーには、Ｃ５‐Ｃ２０アルキルおよびアルケニルコハク酸、およびそれらの塩がある。このタイプの特に好ましい化合物はドデセニルコハク酸である。サクシネートビルダーの具体例には、ラウリルサクシネート、ミリスチルサクシネート、パルミチルサクシネート、２‐ドデセニルサクシネート（好ましい）、２‐ペンタデセニルサクシネート等がある。ラウリルサクシネートがこのグループの好ましいビルダーであり、ＥＰ０，２００，２６３で記載されている。
他の適切なポリカルボキシレートは、ＵＳ４，１４４，２２６およびＵＳ３，３０８，０６７で開示されている。ＵＳ３，７２３，３２２も参照。
【００６１】
脂肪酸、例えばＣ１２‐Ｃ１８モノカルボン酸も、単独で、あるいは追加ビルダー活性を付与するために前記ビルダー、特にシトレートおよび／またはサクシネートビルダーと組合せて、組成物中に配合しうる。脂肪酸のこのような使用は泡立ちの減少を通常もたらすため、これは業者により考慮されるべきである。
【００６２】
リンベースビルダーが使用しうる状況下、特に手で洗濯する操作に用いられる固形石鹸の処方では、周知のナトリウムトリポリホスフェート、ナトリウムピロホスフェートおよびナトリウムオルトホスフェートのような様々なアルカリ金属ホスフェートが用いうる。エタン‐１‐ヒドロキシ‐１，１‐ジホスホネートおよび他の公知ホスホネートのようなホスホネートビルダー（例えば、ＵＳ特許３，１５９，５８１、３，２１３，０３０、３，４２２，０２１、３，４００，１４８および３，４２２，１３７参照）も用いうる。
【００６３】
ポリアミン
ポリアミンは、布帛のような処理表面へケア、特にカラーケアを施すために有用な任意成分である。したがって、本発明の好ましい組成物は、０．１重量％、好ましくは５％、更に好ましくは１０％から、８０％、好ましくは５０％、更に好ましくは２５％まで、下記式を有するポリアミンを含有する：
【化４】
2004513188.tif 000008
上記式中Ｒ、Ｒ１およびＢは参考のためここに組み込まれる１９９６年１０月１５日付で発行されたＷａｔｓｏｎらのＵＳ５，５６５，１４５で適切に記載されており、ｗ、ｘおよびｙは、置換前の主鎖について、好ましくは少くとも約１２００ドルトン、更に好ましくは１８００ドルトンの値を有している。
【００６４】
Ｒ１単位は、好ましくは下記式を有するアルキレンオキシ単位である：
‐（ＣＨ２ＣＨＲ′Ｏ）ｍ（ＣＨ２ＣＨ２Ｏ）ｎＨ
上記式中Ｒ′はメチルまたはエチルであり、ｍおよびｎは好ましくは約０〜約５０であるが、但しｍ＋ｎによるアルコキシル化の平均値は少くとも約０．５である。
【００６５】
本発明で使用に適したポリアミン分散剤の別な記載は、１９９０年１月２日付で発行されたＶａｎｄｅｒ ＭｅｅｒのＵＳ４，８９１，１６０；１９８６年７月１日付で発行されたＶａｎｄｅｒ ＭｅｅｒのＵＳ４，５９７，８９８；１９８４年６月２７日付で公開されたＯｈおよびＧｏｓｓｅｌｉｎｋのＥＰ０，１１１，９６５；１９８４年６月２７日付で公開されたＧｏｓｓｅｌｉｎｋのＥＰ０，１１１，９８４；１９８４年７月４日付で公開されたＧｏｓｓｅｌｉｎｋのＥＰ０，１１２，５９２；１９８５年１０月２２日付で発行されたＣｏｎｎｏｒのＵＳ４，５４８，７４４；および１９９６年１０月１５日付で発行されたＷａｔｓｏｎらのＵＳ５，５６５，１４５でみられ、それらすべてが参考のためここに組み込まれる。
【００６６】
好ましいポリアミンは、ＵＳ５，５６５，１４５で記載されているように、１２００〜１８００の分子量および１または４のエトキシル化を有したポリエチレンイミンから選択される。
【００６７】
増白剤
本組成物は、転染阻止作用も示す親水性増白剤および／または疎水性増白剤のような、あるタイプの蛍光増白剤０．００５〜５重量％も場合により含有してよい。用いられるならば、本組成物は好ましくは０．００１〜１重量％のこのような蛍光増白剤を含む。
【００６８】
本発明で有用な親水性蛍光増白剤は、下記構造式を有したものである：
【化５】
2004513188.tif 000009
上記式中Ｒ１はアニリノ、Ｎ‐２‐ビス‐ヒドロキシエチルおよびＮＨ‐２‐ヒドロキシエチルから選択される；Ｒ２はＮ‐２‐ビス‐ヒドロキシエチル、Ｎ‐２‐ヒドロキシエチル‐Ｎ‐メチルアミノ、モルフィリノ、クロロおよびアミノから選択される；Ｍはナトリウムまたはカリウムのような塩形成カチオンである。
【００６９】
上記式中Ｒ１がアニリノ、Ｒ２がＮ‐２‐ビス‐ヒドロキシエチル、およびＭがナトリウムのようなカチオンであるとき、増白剤は４，４′‐ビス〔〔４‐アニリノ‐６‐（Ｎ‐２‐ビス‐ヒドロキシエチル）‐ｓ‐トリアジン‐２‐イル〕アミノ〕‐２，２′‐スチルベンジスルホン酸および二ナトリウム塩である。この具体的な増白剤種はＣｉｂａ−Ｇｅｉｇｙ Ｃｏｒｐｏｒａｔｉｏｎから商品名Ｔｉｎｏｐａｌ−ＵＮＰＡ−ＧＸＲで市販されている。Ｔｉｎｏｐａｌ−ＵＮＰＡ−ＧＸが本すすぎ液添加組成物で有用な好ましい親水性蛍光増白剤である。
【００７０】
上記式中Ｒ１がアニリノ、Ｒ２がＮ‐２‐ヒドロキシエチル‐Ｎ‐２‐メチルアミノ、およびＭがナトリウムのようなカチオンであるとき、増白剤は４，４′‐ビス〔〔４‐アニリノ‐６‐（Ｎ‐２‐ヒドロキシエチル‐Ｎ‐メチルアミノ）‐ｓ‐トリアジン‐２‐イル〕アミノ〕‐２，２′‐スチルベンジスルホン酸二ナトリウム塩である。この具体的な増白剤種はＣｉｂａ−Ｇｅｉｇｙ Ｃｏｒｐｏｒａｔｉｏｎから商品名Ｔｉｎｏｐａｌ ５ＢＭ−ＧＸＲで市販されている。
【００７１】
上記式中Ｒ１がアニリノ、Ｒ２がモルフィリノ、およびＭがナトリウムのようなカチオンであるとき、増白剤は４，４′‐ビス〔（４‐アニリノ‐６‐モルフィリノ‐ｓ‐トリアジン‐２‐イル）アミノ〕‐２，２′‐スチルベンジスルホン酸ナトリウム塩である。この具体的な増白剤種はＣｉｂａ−Ｇｅｉｇｙ Ｃｏｒｐｏｒａｔｉｏｎから商品名Ｔｉｎｏｐａｌ ＡＭＳ−ＧＸＲで市販されている。
【００７２】
疎水性増白剤、好ましくは疎水性ノニオン性増白剤もここでは有用である。これらの蛍光増白剤は実質的に水に不溶性である。ここで実質的に不溶性とは、１ｇ未満の増白剤がｐＨ７の蒸留水１Ｌに溶解することを意味する。ノニオン性増白剤とは、持続的荷電基またはスルホン酸、サルフェート、カルボン酸、ホスホネート、ホスフェートおよび四級アンモニウムから選択される基を有しない増白剤を意味する。
【００７３】
好ましくは、蛍光増白剤は、スチルベン、ピラゾリン、クマリン、カルボン酸、メチンシアニン類、ジベンゾチオフェン‐５，５‐ジオキシド、アゾール類、５‐および６員環ヘテロ環式、ベンゼンまたはそれらの誘導体およびそれらの混合物を含めた化合物から選択される、実質的に不溶性の化合物である。更に好ましくは、蛍光増白剤にはベンゾオキサゾール、ピラゾール、トリアゾール、トリアジン、イミダゾール、フランのグループまたはそれらの混合物がある。
【００７４】
好ましい市販疎水性蛍光増白剤の例には、商品名Ｔｉｎｏｐａｌ ＳＯＰ（Ｃｉｂａ−Ｇｅｉｇｙ）販売のベンゾオキサゾール、２，２′‐（２，５‐チオフェンジイル）ビス（７Ｃｌ、８Ｃｌ、９Ｃｌ）、商品名Ｔｉｎｏｐａｌ ＳＷＮ（Ｃｉｂａ−Ｇｅｉｇｙ）販売のＣ．Ｉ．Ｆｌｕｏｒｅｓｃｅｎｔ Ｂｒｉｇｈｔｎｅｒ １４０（９Ｃｌ）、７‐（ジメチルアミノ）‐４‐メチル‐２Ｈ‐１‐ベンゾピラン‐２‐オン（９Ｃｌ）、商品名Ｔｉｎｏｐａｌ Ｋ（Ｃｉｂａ−Ｇｅｉｇｙ）販売のベンゾオキサゾール、２，２′‐（１，２‐エチレンジイル）ビス〔５‐メチル‐（９Ｃｌ）、商品名Ｕｖｉｔｅｘ ＡＴ（Ｃｉｂａ−Ｇｅｉｇｙ）販売のＣ．Ｉ．Ｆｌｕｏｒｅｓｃｅｎｔ Ｂｒｉｇｈｔｎｅｒ ３５２（９Ｃｌ）１‐ベンゾイミダゾール、２，２′‐（２，５‐フランジイル）ビス〔１‐メチル‐（９Ｃｌ）からなる群より選択されるものがある。
【００７５】
汚れ放出剤
本発明では、任意の汚れ放出剤も加えてよい。組成物中への典型的配合レベルは０〜１０％、好ましくは０．２〜５％の汚れ放出剤である。好ましくは、このような汚れ放出剤はポリマーである。
汚れ放出剤は、望ましくは、本発明の布帛柔軟化組成物で用いられる。当業者に知られているいかなるポリマー汚れ放出剤も、本発明の組成物で場合により用いうる。ポリマー汚れ放出剤は、ポリエステルおよびナイロンのような疎水性繊維の表面を親水性にする親水性セグメントと、疎水性繊維上について、洗浄およびすすぎサイクルの終了までそれに付着し続け、こうして親水性セグメントのアンカーとして働く疎水性セグメントとを双方とも有することにより特徴づけられる。こうして、汚れ放出剤との処理後に生じた汚れを、後の洗浄操作でもっと容易に落とせるようにできる。
利用されるならば、汚れ放出剤は本洗剤組成物の通常約０．０１〜約１０．０重量％、典型的には約０．１〜約５％、好ましくは約０．２〜約３．０％である。
【００７６】
以下は、すべて参考のためここに組み込まれ、本発明で使用に適した汚れ放出ポリマーを記載している。１９７６年５月２５日付で発行されたＨａｙｓのＵＳ３，９５９，２３０；１９７５年７月８日付で発行されたＢａｓａｄｕｒのＵＳ３，８９３，９２９；１９７６年１２月２８日付で発行されたＮｉｃｏｌらのＵＳ４，０００，０９３；１９８７年１０月２７日付で発行されたＧｏｓｓｅｌｉｎｋのＵＳ特許４，７０２，８５７；１１月６日付で発行されたＳｃｈｅｉｂｅｌらのＵＳ４，９６８，４５１；１９８７年１０月２７日付で発行されたＧｏｓｓｅｌｉｎｋのＵＳ４，７０２，８５７；１９８７年１２月８日付で発行されたＧｏｓｓｅｌｉｎｋらのＵＳ４，７１１，７３０；１９８８年１月２６日付で発行されたＧｏｓｓｅｌｉｎｋのＵＳ４，７２１，５８０；１９８９年１０月３１日付で発行されたＭａｌｄｏｎａｄｏらのＵＳ４，８７７，８９６；１９９０年９月１１日付で発行されたＧｏｓｓｅｌｉｎｋらのＵＳ４，９５６，４４７；１９９５年５月１６日付で発行されたＧｏｓｓｅｌｉｎｋらのＵＳ５，４１５，８０７；Ｋｕｄらにより１９８７年４月２２日付で公開された欧州特許出願０，２１９，０４８。
【００７７】
別の適切な汚れ放出剤は、ＶｉｏｌｌａｎｄらのＵＳ４，２０１，８２４；ＬａｇａｓｓｅらのＵＳ４，２４０，９１８；ＴｕｎｇらのＵＳ４，５２５，５２４；ＲｕｐｐｅｒｔらのＵＳ４，５７９，６８１；ＵＳ４，２４０，９１８；ＵＳ４，７８７，９８９；ＵＳ４，５２５，５２４；１９８８年Ｒｈｏｎｅ−Ｐｏｕｌｅｎｃ ＣｈｅｍｉｅのＥＰ２７９，１３４Ａ；ＢＡＳＦ（１９９１）のＥＰ４５７，２０５Ａ；および１９７４年Ｕｎｉｌｅｖｅｒ Ｎ．Ｖ．のＤＥ２，３３５，０４４で記載されており、すべて参考のためここ組み込まれる。
市販の汚れ放出剤には、信越化学工業ＫＫ製のＭＥＴＯＬＯＳＥ ＳＭ１００、ＭＥＴＯＬＯＳＥ ＳＭ２００、ＢＡＳＦ（ドイツ）市販のＳＯＫＡＬＡＮタイプの物質、例えばＳＯＫＡＬＡＮ ＨＰ−２２、ＺＥＬＣＯＮ ５１２６（Ｄｕｐｏｎｔ）およびＭＩＬＥＡＳＥ Ｔ（ＩＣＩ）がある。
【００７８】
スカム分散剤
本発明において、プレミックスは汚れ放出剤以外に任意のスカム分散剤と組み合わせて、諸成分の融点以上の温度に加熱することができる。
ここで好ましいスカム分散剤は高度エトキシル化疎水性物質により形成される。疎水性物質には、脂肪アルコール、脂肪酸、脂肪アミン、脂肪酸アミド、アミンオキシド、四級アンモニウム化合物、または汚れ放出ポリマーを形成するために用いられる疎水性部分がある。好ましいスカム分散剤は分子当たり平均で例えば１７モル以上、好ましくは２５モル以上、更に好ましくは４０モル以上のエチレンオキシドで高度にエトキシル化されており、ポリエチレンオキシド部分は全分子量の７６〜９７％、好ましくは８１〜９４％である。
【００７９】
スカム分散剤のレベルは、使用条件下で許容される、好ましくは消費者に気づかれないレベルにスカムを保つ上で十分なものにするが、但し柔軟化に悪影響を与えるほどではない。一部の目的のためには、スカムは存在しないことが望ましい。典型的洗濯プロセスの洗浄サイクルで用いられるアニオン性またはノニオン性洗剤などの量、本組成物の導入前におけるすすぎステップの効力、および水硬度に応じて、布帛（洗濯物）に捕捉されるアニオン性またはノニオン性洗浄界面活性剤および洗浄ビルダー（特にホスフェートおよびゼオライト）の量は様々である。通常、最少量のスカム分散剤が柔軟性におよぼす悪影響を避けるために用いられるべきである。典型的には、スカム分散剤は柔軟活性剤のレベルに対して少くとも２％、好ましくは少くとも４％（最大スカム回避のためには少くとも６％、好ましくは少くとも１０％）を要する。しかしながら、（柔軟剤物質に対して）１０％以上のレベルでは、特に布帛が洗浄操作中に吸収された高割合のノニオン性界面活性剤を含んでいるときに、製品の柔軟化効力を喪失させる危険がある。
好ましいスカム分散剤はＢｒｉｊ ７００Ｒ、Ｖａｒｏｎｉｃ Ｕ−２５０Ｒ、Ｇｅｎａｐｏｌ Ｔ−５００Ｒ、Ｇｅｎａｐｏｌ Ｔ−８００Ｒ、Ｐｌｕｒａｆａｃ Ａ−７９ＲおよびＮｅｏｄｏｌ ２５−５０Ｒである。
【００８０】
殺菌剤
本発明の組成物で用いられる殺菌剤の例には、グルタルアルデヒド、ホルムアルデヒド、商品名ＢｒｏｎｏｐｏｌＲとしてＰｈｉｌａｄｅｌｐｈｉａ，ＰｅｎｎｓｙｌｖａｎｉａにあるＩｎｏｌｅｘ Ｃｈｅｍｉｃａｌｓから販売されている２‐ブロモ‐２‐ニトロプロパン‐１，３‐ジオール、商品名ＫａｔｈｏｎとしてＲｏｈｍ ａｎｄ Ｈａａｓ Ｃｏｍｐａｎｙから販売されている５‐クロロ‐２‐メチル‐４‐イソチアゾリン‐３‐オンおよび２‐メチル‐４‐イソチアゾリン‐３‐オンの混合物があり、１〜１０００重量ｐｐｍでその剤が用いられる。
【００８１】
キレート化剤
本組成物およびプロセスでは、１種以上の銅および／またはニッケルキレート化剤（“キレーター”）も場合により用いることができる。このような水溶性キレート化剤は、すべて以下で記載されているようなアミノカルボキシレート、アミノホスホネート、多官能性置換芳香族キレート化剤およびそれらの混合物からなる群より選択しうる。布帛の白さおよび／または鮮明さはこのようなキレート化剤で実質的に改善または再生され、組成物中における物質の安定性も改善される。理論に拘束されることなく、これら物質の効果は、可溶性キレートの形成により洗浄液から鉄およびマンガンイオンを除去するそれらの例外的能力に一部起因している、と考えられる。
【００８２】
任意のキレート化剤として有用なアミノカルボキシレートには、エチレンジアミン四酢酸、Ｎ‐ヒドロキシエチルエチレンジアミン三酢酸、ニトリロ三酢酸、エチレンジアミン四プロピオン酸、トリエチレンテトラアミン六酢酸、ジエチレントリアミン五酢酸およびエタノールジグリシン、アルカリ金属、アンモニウムおよびその置換アンモニウム塩、およびそれらの混合物がある。
アミノホスホネートも、少くとも低レベルの全リンが洗剤組成物で許容されるときに本発明の組成物でキレート化剤として使用に適しており、ＤＥＱＵＥＳＴとしてエチレンジアミンテトラキス（メチレンホスホネート）がある。好ましくは、これらのアミノホスホネートは炭素原子が約６より多いアルキルまたはアルケニル基を含まない。
【００８３】
多官能性置換芳香族キレート化剤も本組成物で有用である。１９７４年５月２１日付で発行されたＣｏｎｎｏｒらのＵＳ特許３，８１２，０４４参照。このタイプの好ましい化合物は、酸形の場合、１，２‐ジヒドロキシ‐３，５‐ジスルホベンゼンのようなジヒドロキシジスルホベンゼンである。
ここで使用上好ましい生分解性キレーターは、１９８７年１１月３日付ＨａｒｔｍａｎおよびＰｅｒｋｉｎｓのＵＳ特許４，７０４，２３３で記載されたようなエチレンジアミン二コハク酸（“ＥＤＤＳ”）、特に〔Ｓ，Ｓ〕異性体である。
本組成物では、例えばゼオライト、積層シリケートなどのような不溶性ビルダーと一緒にすると有用なキラントまたはコビルダーとして、水溶性メチルグリシン二酢酸（ＭＧＤＡ）塩（または酸形）も含有してよい。
好ましいキレート化剤には、ＤＥＴＭＰ、ＤＥＴＰＡ、ＮＴＡ、ＥＤＤＳおよびそれらの混合物がある。
【００８４】
利用されるならば、これらのキレート化剤は本布帛ケア組成物の通常約０．１〜約１５重量％である。更に好ましくは、利用されるならば、キレート化剤はこのような組成物の約０．１〜約３．０重量％である。
【００８５】
結晶成長阻止剤成分（ＣＧＩ成分）
本発明の組成物は結晶成長阻止剤成分、好ましくはオルガノジホスホン酸成分を更に含有でき、好ましくは組成物の０．０１〜５重量％、更に好ましくは０．１〜２％のレベルで配合される。
オルガノジホスホン酸とは、化学構造の一部として窒素を含有していないオルガノジホスホン酸を意味する。したがって、この定義からはオルガノアミノホスホネートを除外するが、しかしながらそれは重金属イオン封鎖剤成分として本発明の組成物中に含有させてもよい。
オルガノジホスホン酸は、好ましくはＣ１‐Ｃ４ジホスホン酸、更に好ましくはＣ２ジホスホン酸、例えばエチレンジホスホン酸、最も好ましくはエタン１‐ヒドロキシ‐１，１‐ジホスホン酸（ＨＥＤＰ）であり、特に塩または錯体として、部分的にまたは完全にイオン化された形で存在してもよい。
【００８６】
結晶成長阻止剤としてここで他の有用なものはオルガノモノホスホン酸である。オルガノモノホスホン酸またはその塩もしくは錯体も、ＣＧＩとしてここで使用に適している。
オルガノモノホスホン酸とは、その化学構造の一部として窒素を含有していないオルガノモノホスホン酸を意味する。したがって、この定義からはオルガノアミノホスホネートを除外するが、しかしながらそれは重金属イオン封鎖剤として本発明の組成物中に含有させてもよい。
オルガノモノホスホン酸成分は、酸形でも、あるいは適切な対陽イオンとの塩または錯体の１種の形で存在してもよい。好ましくは、いかなる塩／錯体も水溶性であって、アルカリ金属およびアルカリ土類金属塩／錯体が特に好ましい。
好ましいオルガノモノホスホン酸は、ＢａｙｅｒからＢａｙｈｉｂｉｔの商品名で市販されている２‐ホスホノブタン‐１，２，４‐トリカルボン酸である。
【００８７】
酵素
本組成物およびプロセスでは、リパーゼ、プロテアーゼ、セルラーゼ、アミラーゼおよびペルオキシダーゼのような１種以上の酵素を場合により用いることができる。ここで使用上好ましい酵素はセルラーゼ酵素である。実際に、このタイプの酵素は処理された布帛にカラーケア効果を更に付与する。ここで用いうるセルラーゼには細菌および真菌双方のタイプがあり、好ましくは５〜９．５の至適ｐＨを有している。ＵＳ４，４３５，３０７では、Ｈｕｍｉｃｏｌａ ｉｎｓｏｌｅｎｓまたはＨｕｍｉｃｏｌａ株ＤＳＭ１８００、またはＡｅｒｏｍｏｎａｓ属に属するセルラーゼ２１２産生真菌からの適切な真菌セルラーゼ、および海洋軟体動物Ｄｏｌａｂｅｌｌａ Ａｕｒｉｃｕｌａ Ｓｏｌａｎｄｅｒの肝膵から抽出されるセルラーゼについて開示している。適切なセルラーゼは、ＧＢ‐Ａ‐２，０７５，０２８、ＧＢ‐Ａ‐２，０９５，２７５およびＤＥ‐ＯＳ‐２，２４７，８３２でも開示されている。ＣＡＲＥＺＹＭＥＲおよびＣＥＬＬＵＺＹＭＥＲ（Ｎｏｖｏ）が特に有用である。他の適切なセルラーゼは、ＮｏｖｏのＷＯ９１／１７２４３、ＷＯ９６／３４０９２、ＷＯ９６／３４９４５およびＥＰ‐Ａ‐０，７３９，９８２でも開示されている。現行市販製品でみると、典型的な量は洗剤組成物ｇ当たり重量で活性酵素５ｍｇ以内、更に典型的には０．０１〜３ｍｇである。換言すると、本組成物は典型的には０．００１〜５重量％、好ましくは０．０１〜１％の市販酵素製品を含む。酵素製品の活性が例えばセルラーゼで規定しうる特定の場合においては、対応した活性単位（例えば、ＣＥＶＵまたはセルラーゼ当量粘度単位）が好ましい。例えば、本発明の組成物は０．５〜１０００ＣＥＶＵ／ｇ組成物の活性に相当するレベルでセルラーゼ酵素を含有しうる。本発明の組成物を処方する目的で用いられるセルラーゼ酵素製品は、典型的には、液体形態で１０００〜１０，０００ＣＥＶＵ／ｇ、固体形態で約１０００ＣＥＶＵ／ｇの活性を有している。
【００８８】
クレー
本発明の組成物は好ましくはクレーを含有しており、好ましくは組成物の０．０５〜４０重量％、更に好ましくは０．５〜３０％、最も好ましくは２〜２０％のレベルで存在している。明確化のために言及しておくと、ここで用いられているクレーミネラル化合物という用語からはナトリウムアルミノシリケートゼオライトビルダー化合物を除外するが、しかしながら本発明の組成物中に任意成分としてそれを含有させてもよい。
【００８９】
１種の好ましいクレーにはベントナイトクレーがある。高度に好ましいものは、例えば、すべてＰｒｏｃｔｅｒ ａｎｄ Ｇａｍｂｌｅ Ｃｏｍｐａｎｙの名で、ＵＳ特許３，８６２，０５８、３，９４８，７９０、３，９５４，６３２および４，０６２，６４７、欧州特許ＥＰ‐Ａ‐２９９，５７５およびＥＰ‐Ａ‐３１３，１４６で開示されているような、スメクタイトクレーである。
ここでスメクタイトクレーという用語には、酸化アルミニウムがシリケート格子に存在しているクレー、および酸化マグネシウムがシリケート格子に存在しているクレーの双方を含む。スメクタイトクレーは膨張性三層構造をとりやすい。
【００９０】
適切なスメクタイトクレーの具体例には、モンモリロナイト、ヘクトライト、ボルコンスコイト、ノントロナイト、サポナイトおよびソーコナイトの種類から選択されるもの、特に結晶格子構造内にアルカリまたはアルカリ土類金属イオンを有するものがある。ナトリウムまたはカルシウムモンモリロナイトが特に好ましい。
適切なスメクタイトクレー、特にモンモリロナイトは、Ｅｎｇｌｉｓｈ Ｃｈｉｎａ Ｃｌａｙｓ、Ｌａｖｉｏｓａ、Ｇｅｏｒｇｉａ Ｋａｏｌｉｎ ａｎｄ Ｃｏｌｉｎ Ｓｔｅｗａｒｔ Ｍｉｎｅｒａｌｓを含めた様々な業者から販売されている。
【００９１】
ここで有用なクレーは、好ましくは１０〜８００ｎｍ、更に好ましくは２０ｎｍ〜５００ｍｍ、最も好ましくは５０ｎｍ〜２００ｍｍの粒径を有している。
クレーミネラル化合物の粒子は、他の洗剤化合物を含有した凝集物粒子の成分として含有させてもよい。このような成分として存在するとき、クレーミネラル化合物の“最大粒径”という用語は、全体としての凝集物粒子ではなく、クレーミネラル成分自体の最大寸法に関する。
【００９２】
プロトン、ナトリウムイオン、カリウムイオン、マグネシウムイオンおよびカルシウムイオンのような小さな陽イオン、および正荷電官能基を有するものを含めたある有機分子の置換は、スメクタイトクレーの結晶格子構造内で典型的に行うことができる。クレーは１種の陽イオンタイプを優先的に吸収するその能力から選択され、このような能力は相対的なイオン交換能の測定により評価される。ここで適したスメクタイトクレーは、典型的には少くとも５０ｍｅｑ／１００ｇの陽イオン交換能を有している。ＵＳ特許３，９５４，６３２は、陽イオン交換能の測定方法について記載している。
【００９３】
クレーミネラル化合物の結晶格子構造は、好ましい実施において、その中に置換されたカチオン性布帛柔軟剤を有してもよい。このような置換クレーは‘疎水性活性化’クレーと呼ばれている。カチオン性布帛柔軟剤は、典型的には１：２００〜１：１０、好ましくは１：１００〜１：２０のカチオン性布帛柔軟剤対クレー重量比で存在している。適切なカチオン性布帛柔軟剤には、ＧＢ‐Ａ‐１，５１４，２７６およびＥＰ‐Ｂ‐０，０１１，３４０で開示されたような非水溶性三級アミンまたはジ長鎖アミド物質がある。
好ましい市販‘疎水性活性化’クレーは、Ｅｎｇｌｉｓｈ Ｃｈｉｎａ Ｃｌａｙｓ Ｉｎｔｅｒｎａｔｉｏｎａｌから商品名Ｃｌａｙｔｏｎｅ ＥＭで販売されているジメチルジタロー四級アンモニウム塩を約４０重量％含有したベントナイトクレーである。
【００９４】
本発明の高度に好ましい態様において、クレーは保湿剤および疎水性化合物、好ましくはロウまたは油、例えばパラフィン油との完全混合物または粒子として存在する。好ましい保湿剤は、プロピレングリコール、エチレングリコール、グリコールのダイマーまたはトリマー、最も好ましくはグリセロールを含めた有機化合物である。その粒子は好ましくは凝集物である。一方、ロウまたは油および場合により保湿剤がクレー上で封入物を形成しているか、あるいはクレーがロウまたは油および保湿剤の封入物となるように構成された粒子でもよい。粒子は有機塩、シリカまたはシリケートを含有していることが好ましい。
【００９５】
しかしながら、本発明の他の態様では、クレーが好ましくは１種以上の界面活性剤および場合によりビルダーおよび場合により水と混合されており、その場合にその混合物は好ましくは後で乾燥される。好ましくは、このような混合物はクレーを含有したスプレードライ粒子を得るためにスプレードライ法で更に処理される。
凝集剤もクレーを含有した粒子または顆粒中に含有させることが好ましい。
【００９６】
凝集剤
本発明の組成物はクレー凝集剤を含有してもよく、好ましくは組成物の０．００５〜１０重量％、更に好ましくは０．０５〜５％、最も好ましくは０．１〜２％のレベルで存在する。
クレー凝集剤は、例えば、洗浄液中でクレー化合物の粒子を集合させて、洗浄中に布帛の表面へのそれらの付着を助けるように機能する。そのため、この機能性要件は、布帛からクレー汚れの除去を助けて、洗浄液内にそれらを分散させるために洗濯洗剤組成物へ通常加えられるクレー分散剤化合物の場合とは異なる。
【００９７】
ここでクレー凝集剤として好ましいものは、１００，０００〜１０，０００，０００、好ましくは１５０，０００〜５，０００，０００、更に好ましくは２００，０００〜２，０００，０００の平均分子量を有した有機ポリマー物質である。
適切な有機ポリマー物質には、アルキレンオキシド、特にエチレンオキシド、アクリルアミド、アクリル酸、ビニルアルコール、ビニルピロリドンおよびエチレンイミンから選択されるモノマー単位を含有したホモポリマーまたはコポリマーがある。特にエチレンオキシドのホモポリマーが、但しアクリルアミドおよびアクリル酸のものでも、好ましい。
Ｐｒｏｃｔｅｒ ａｂｄ Ｇａｍｂｌｅ Ｃｏｍｐａｎｙの名による欧州特許ＥＰ‐Ａ‐２９９，５７５およびＥＰ‐Ａ‐３１３，１４６では、ここで使用上好ましい有機ポリマークレー凝集剤について記載している。
【００９８】
クレー対凝集ポリマーの重量比は、好ましくは１０００：１〜１：１、更に好ましくは５００：１〜１：１、最も好ましくは３００：１〜１：１、更に一層好ましくは８０：１〜１０：１であり、またはある用途では６０：１〜２０：１でもよい。
無機クレー凝集剤もここでは適切であり、その典型例にはライムおよびミョウバンがある。
凝集剤は、通常１種以上の界面活性剤およびビルダーを含有した、洗剤凝集物、押出物またはスプレードライ粒子のような洗剤ベース顆粒中に存在していることが好ましい。
【００９９】
発泡剤
発泡手段も本発明の組成物で場合により用いてよい。
ここで記載されている発泡とは、可溶性酸源とアルカリ金属カーボネートとの化学反応の結果として二酸化炭素ガスを生じる、液体からガスの泡の発生を意味している：
即ち
Ｃ６Ｈ８Ｏ７＋３ＮａＨＣＯ３→Ｎａ３Ｃ６Ｈ５Ｏ７＋３ＣＯ２↑＋３Ｈ２Ｏ
酸および炭酸源および他の発泡系の別な例は（Ｐｈａｒｍａｃｅｕｔｉｃａｌ Ｄｏｓａｇｅ Ｆｏｒｍｓ：Ｔａｂｌｅｔｓ Ｖｏｌｕｍｅ １，Ｐａｇｅ ２８７−２９１）でみられる。
【０１００】
炭酸塩
ここで適切なアルカリおよび／またはアルカリ土類無機炭酸塩にはカリウム、リチウム、ナトリウムなどの炭酸塩および炭酸水素塩があり、その中では炭酸ナトリウムおよびカリウムが好ましい。ここで用いられる適切な重炭酸塩はリチウム、ナトリウム、カリウムなどのように重炭酸のいかなるアルカリ金属塩でもよく、その中では重炭酸ナトリウムおよびカリウムが好ましい。しかしながら、炭酸塩、重炭酸塩またはその混合物の選択は、顆粒が溶解される水性媒体で望まれるｐＨに応じて行われる。例えば、比較的高いｐＨ（例えば、ｐＨ９．５以上）が水性媒体で望まれる場合には、炭酸塩を単独で用いるか、または炭酸塩のレベルを重炭酸塩のレベルより高くして炭酸塩および重炭酸塩の組合せを用いることが好ましい。本発明の組成物の無機アルカリおよび／またはアルカリ土類炭酸塩には、炭酸および／または重炭酸の、好ましくはカリウム、更に好ましくはナトリウム塩がある。好ましくは、炭酸塩は炭酸ナトリウム、場合により重炭酸ナトリウムである。
ここで無機炭酸塩は、好ましくは組成物の少くとも２０重量％のレベルで存在する。好ましくは、それらは少くとも２３重量％、または更には２５％、または更には３０％、好ましくは約６０重量％以内、更に好ましくは５５重量％以内、または更には５０％のレベルで存在している。
【０１０１】
それらは、別々な粉末または顆粒成分として、あるいは他の洗剤成分、例えば他の塩または界面活性剤との共顆粒として、全部または一部が加えられる。本発明の固形洗剤組成物でも、それらが凝集物またはスプレードライ顆粒のような洗剤顆粒として全部または一部存在してよい。
本発明の一態様では、好ましくは有機酸、例えばカルボン酸またはアミノ酸、および炭酸塩を含めた発泡源が存在している。ここで炭酸塩の一部または全部が有機酸とプレミックスされて、別な顆粒成分として存在することも好ましい。
好ましい発泡源は、場合により結合剤によるクエン酸および炭酸塩の圧縮粒子、４：２：４の重量比で炭酸塩、重炭酸塩およびリンゴまたはマレイン酸の粒子から選択される。クエン酸および炭酸塩の乾燥添加形も好ましくは用いられる。
【０１０２】
炭酸塩はいかなる粒径を有してもよい。一態様において、特に炭酸塩が別々に加えられる化合物としてではなく、顆粒で存在するときには、炭酸塩は好ましくは５〜３７５ミクロンの容量メジアン粒径を有しており、好ましくは少くとも６０容量％、好ましくは少くとも７０％、または更には少くとも８０％、または更には少くとも９０％は１〜４２５ミクロンの粒径を有している。更に好ましくは、二酸化炭素源は１０〜２５０ミクロンの容量メジアン粒径を有しており、好ましくは少くとも６０容量％、または更には少くとも７０％、または更には少くとも８０％、または更には少くとも９０％は１〜３７５ミクロンの粒径を有しているか、あるいは更に好ましくは１０〜２００ミクロンの容量メジアン粒径を有しており、好ましくは少くとも６０容量％、好ましくは少くとも７０％、または更には少くとも８０％、または更には少くとも９０％は１〜２５０ミクロンの粒径を有している。
特に、炭酸塩が別々な成分として加えられる、いわば他の洗剤成分へ‘乾燥添加’または混合されるとき、炭酸塩は上記粒径を含めていかなる粒径を有してもよいが、好ましくは少くとも２００ミクロン、または更には２５０ミクロン、または更には３００ミクロンの容量平均粒径を有している。
所要粒径の二酸化炭素源は、それより大きな粒径の物質を粉砕してから、場合により所要粒径の物質をいずれか適切な方法で選択することにより得ることが好ましい。
過炭酸塩も漂白剤として本発明の組成物中に存在してよいが、それらはここで記載されたような炭酸塩には含まれない。
【０１０３】
他の好ましい任意成分には、酵素安定剤、ポリマー汚れ放出剤、クリーニングプロセスである布帛から他への転染を阻止するために有効な物質（即ち、転染阻止剤）、起泡抑制剤、蛍光増白剤または他の増白もしくはホワイトニング剤、静電気防止剤、キャリア、ヒドロトロープ、加工助剤、染料または顔料、ラジカルスカベンジャー、酸化防止剤、安定剤、ｐＨコントロール剤、溶媒、起泡調整剤、起泡増強剤、着色剤、液体処方用の溶媒、および固形組成物用の固形フィラーがある。
【０１０４】
組成物の形態
本発明の組成物は、水性または非水性形の液体、液体懸濁形態、ゲル、フォームと、顆粒および錠剤形態を含めて、様々な物理的形態をとることができる。
液体洗剤組成物は、キャリアとして水および他の溶媒を含有しうる。メタノール、エタノール、プロパノールおよびイソプロパノールで例示される低分子量一級または二級アルコールが適切である。一価アルコールが界面活性剤を溶解させる上で好ましいが、２〜６の炭素原子および２〜６のヒドロキシ基を有するようなポリオール（例えば、１，３‐プロパンジオール、エチレングリコール、グリセリンおよび１，２‐プロパンジオール）も用いうる。組成物は５〜９０％、典型的には１０〜５０％でこのようなキャリアを含有してよい。
【０１０５】
顆粒洗剤は、例えば、ベース顆粒をスプレードライ（最終製品密度５２０ｇ／Ｌ）または凝集（最終製品密度６００ｇ／Ｌ以上）することにより製造しうる。次いで、残留乾燥成分が、例えばロータリーミキシングドラムで、ベース顆粒と顆粒または粉末形態で混合され、液体成分（例えば、ノニオン性界面活性剤および香料）もスプレー吹付けしうる。
本洗剤組成物は、水性クリーニング操作で使用中に、洗浄水が６．５〜１１、好ましくは７．０〜１０．０のｐＨを有するように処方されることが好ましい。洗濯製品は、典型的にはｐＨ７．５〜９．０である。勧められる使用レベルでｐＨをコントロールするための技術には、緩衝剤、アルカリ、酸等の使用があり、当業者に周知である。
【０１０６】
液体組成物のパッケージ形態
考えられる最終用途に応じて、本組成物は慣用的なボトル、およびロールオン、スポンジ、ブラシ、スプレー器またはエアゾールディスペンサーを備えたボトルを含めて様々な容器に入れることができる。
本発明の１つの態様において、組成物は２コンパートメント容器に入れられ、その場合にここで記載された漂白組成物は１つのコンパートメントに入れられ、第二の組成物が第二のコンパートメントに入れられる。特に好ましい面において、第二の組成物は、好ましくは諸成分、特にブリーチ感受性成分、例えば界面活性剤および酵素を含有した慣用的な重質液体洗剤組成物である。
【０１０７】
スプレーディスペンサー
本発明は、本発明の組成物による布帛品および／または表面の処理または前処理を容易にしうる製品を提供するために、スプレーディスペンサー中に配合された、このような組成物にも関する。スプレーディスペンサーは、手動式または非手動式（操作）スプレー手段、および処理組成物を含有した容器からなる。このようなスプレーディスペンサーの典型的開示は、ＷＯ９６／０４９４０の第１９頁２１行目〜第２２頁２７行目でみられる。製品には、望ましい効果をもたらす上で十分な組成物の成分を消費者が確実に適用しうるようにするための使用説明書を添付することが好ましい。
【０１０８】
表面処理プロセス
本発明では、クリーニングされる表面が、好ましくは液体形態で、本発明の組成物により処理される。
“表面”とは、ここではあらゆる非生物表面を意味する。これらの非生物表面には、キッチン、浴室のような屋内、またはカーインテリアで典型的にみられる硬質表面、例えばタイル、壁、床、クロム、ガラス、滑らかなビニール、いずれかのプラスチック、可塑化木材、テーブルトップ、シンク、クッカートップ、皿、衛生器具、例えばシンク、シャワー、シャワーカーテン、洗面台、ＷＣなど、並びに、衣類、カーテン、ドレープ、ベッドリネン、バスリネン、テーブルクロス、寝袋、テント、装飾家具などを含めた布帛、およびカーペットがあるが、それらに限定されない。非生物表面には、冷蔵庫、冷凍庫、洗濯機、自動乾燥機、オーブン、電子レンジ、皿洗機などを含めた家庭電化製品も含むが、それらに限定されない。
【０１０９】
“表面処理”とは、本発明の組成物が、好ましくは過酸化合物をベースにした漂白系またはその混合物を含有しているときには上記の表面を漂白し、上記の組成物が界面活性剤またはいずれか他の慣用的なクリーニング剤を含有しているときには場合によりクリーニングすることを意味する。
このように、本発明は布帛または非生物表面を処理する、特に漂白する方法にも関する。このような方法では、本発明による組成物が、処理される布帛と接触する。
これは、前記のような液体漂白組成物が布帛へそのまま適用されてから、布帛がすすがれ、または洗浄されてからすすがれる、いわゆる“前処理方式”で、あるいは前記のような液体漂白組成物がまず水浴で希釈され、布帛がその浴に漬けて浸されてから、それらがそそがれる“浸漬方式”、あるいは前記のような液体漂白組成物が典型的な洗濯洗剤の溶解または分散により形成される洗浄液へ加えられる“スルー・ザ・ウォッシュ（ｔｈｒｏｕｇｈ ｔｈｅ ｗａｓｈ）方式”で行われる。双方の場合において、布帛は、それらを上記組成物と接触させた後であって、その組成物が完全に乾ききる前にすすがれることも必須である。
【０１１０】
本発明による組成物は、そのままでまたは希釈形で用いられる。しかしながら、本組成物は洗濯操作において希釈形で典型的に用いられる。“希釈形”とは、本発明による布帛漂白向け組成物が、ユーザーにより、好ましくは水で希釈されることを意味する。このような希釈は、例えば、手洗濯向けおよび洗濯機のような他の手段向けに行う。上記組成物は５００倍以内、好ましくは５〜２００倍、更に好ましくは１０〜８０倍で希釈しうる。
【０１１１】
更に詳しくは、本発明による布帛の漂白方法は、布帛を本発明による漂白組成物と希釈形でまず接触させ、その後上記布帛を漂白するために十分な時間、典型的には１〜６０分間、好ましくは５〜３０分間にわたり上記布帛を上記組成物と接触させておき、その後で上記布帛を水ですすぐステップからなる。上記布帛が洗浄されるならば、即ち好ましくは少くとも１種の界面活性剤を含有した慣用的な洗剤組成物で洗浄されるならば、その洗浄は、上記布帛を本発明による漂白組成物および上記の洗剤組成物と同時に接触させることにより、上記布帛の漂白と一緒に行われるか、あるいは上記の洗浄は上記布帛が漂白される前にまたはその後で行われる。したがって、本発明による上記方法では、布帛を上記漂白組成物と接触させるステップの前、および／またはその布帛を上記漂白組成物と接触させるステップ中、および／またはその布帛を上記漂白組成物と接触させるステップの後、およびすすぎステップ前および／またはすすぎステップ後に、好ましくは少くとも１種の界面活性剤を含有した洗剤組成物で布帛を漂白して、場合により布帛を洗浄することができる。
【０１１２】
本発明の別な態様において、布帛を漂白するプロセスは、本発明による液体漂白組成物とニート形で布帛を接触させ、上記布帛を漂白するために十分な時間、典型的には５秒間〜３０分間、好ましくは１〜１０分間にわたり上記布帛を上記漂白組成物と接触させてから、上記布帛を水ですすぐステップからなる。上記の布帛が、即ち少くとも１種の界面活性剤を含む慣用的組成物で洗浄されるならば、その洗浄は上記布帛が漂白される前または後に行われる。有利なことには、布帛へブリーチ含有組成物をそのまま用いることに対するいつもの先入観にもかかわらず、本組成物がカラーおよび布帛自体にとり安全であるため、本発明は漂白する上で布帛へそのまま適用しうる液体漂白組成物を提供する。
一方、上記のようなニート漂白方法（前処理機適用）の後に、水でのすすぎステップおよび／または液体または慣用的粉末洗剤での慣用的洗浄ステップを行う代わりに、漂白前処理操作に次いで、バケツ（手操作）または洗濯機で前記のような希釈漂白プロセスを行ってもよい。
【０１１３】
布帛が慣用的な洗濯洗剤組成物で洗浄された後に、ここでの漂白プロセスを行うことが好ましい。実際に、布帛を洗剤組成物で洗浄した後、本発明による組成物でその布帛を漂白すること（典型的には、希釈漂白方法）は、その布帛が最初に漂白されてから洗浄されるよりも、少ないエネルギーおよび洗剤で済むことに加えて優れた白さおよびしみ抜きを行えることが観察された。
【０１１４】
別な態様において、本発明は非生物表面として硬質表面を処理する方法にも関する。このような方法では、前記のような組成物が処理すべき硬質表面と接触される。このように、本発明は、上記硬質表面、好ましくはその汚れた部分のみに上記組成物を適用して、場合により上記硬質表面をすすぐステップからなる、前記のような組成物で硬質表面を処理する方法にも関する。
本発明により硬質表面を処理する方法において、前記のような組成物は、そのままの形で、または典型的には重量で２００倍以内の水、好ましくは重量で８０〜２倍の水、更に好ましくは６０〜２倍の水で希釈された形で、処理すべき表面へ適用される。
硬質表面漂白／消毒組成物として用いられた場合には、本発明の組成物は、処理された表面をすすいで、良好な輝き特徴をもたせることが容易である。
“硬質表面”とは、皿のみならず、前記のようなあらゆる硬質表面を意味する。
【０１１５】
香料処方例
下記は、以下の洗濯およびクリーニング組成物へ配合される、本発明による香料処方例である：
2004513188.tif 000010
香料Ａは、少くとも８０％のブリーチ安定性インデックス（ＢＳＩ）、評価ＡまたはＢの香気特性および少くとも６の香気強度を有した不飽和香料成分２５重量％を含有している。
【０１１６】
2004513188.tif 000011
香料Ｂは、少くとも８０％のブリーチ安定性インデックス（ＢＳＩ）、評価ＡまたはＢの香気特性および少くとも６の香気強度を有した不飽和香料成分５５重量％を含有している。
【０１１７】
2004513188.tif 000012
香料Ｃは、少くとも８０％のブリーチ安定性インデックス（ＢＳＩ）、評価ＡまたはＢの香気特性および少くとも６の香気強度を有した不飽和香料成分５５重量％を含有している。
【０１１８】
2004513188.tif 000013
香料Ｄは、少くとも８０％のブリーチ安定性インデックス（ＢＳＩ）、評価ＡまたはＢの香気特性および少くとも６の香気強度を有した不飽和香料成分７５．５重量％を含有している。
【０１１９】
2004513188.tif 000014
香料Ｅは、少くとも８０％のブリーチ安定性インデックス（ＢＳＩ）、評価ＡまたはＢの香気特性および少くとも６の香気強度を有した不飽和香料成分８６．１２重量％を含有している。
【０１２０】
2004513188.tif 000015
香料Ｆは、少くとも８０％のブリーチ安定性インデックス（ＢＳＩ）、評価ＡまたはＢの香気特性および少くとも６の香気強度を有した不飽和香料成分１００重量％を含有している。
【０１２１】
下記の洗濯およびクリーニング組成物の例で用いられている略記
本発明の洗濯およびクリーニング組成物の例において、酵素レベルは全組成物の重量により純粋酵素で表示されており、別記されないかぎり、洗剤成分は全組成物の重量で表示されており、完全処方組成物中への香料組成物の配合は、別記されないかぎりスプレー吹付けで行う。略記された成分表示は以下の意味を有している：
2004513188.tif 000016
2004513188.tif 000017
2004513188.tif 000018
2004513188.tif 000019
2004513188.tif 000020
【０１２２】
例１
下記の顆粒洗濯洗剤組成物を本発明に従い調製した。
2004513188.tif 000021
2004513188.tif 000022
【０１２３】
例２
下記の顆粒洗濯洗剤組成物を本発明に従い調製した。
2004513188.tif 000023
2004513188.tif 000024
【０１２４】
例３
下記の顆粒洗濯洗剤組成物を本発明に従い調製した：
2004513188.tif 000025
2004513188.tif 000026
【０１２５】
例４
下記の顆粒洗濯洗剤組成物を本発明に従い調製した：
2004513188.tif 000027
2004513188.tif 000028
【０１２６】
例５
下記の顆粒洗濯洗剤組成物を本発明に従い調製した：
2004513188.tif 000029
2004513188.tif 000030
【０１２７】
例６
下記の顆粒洗濯洗剤組成物を本発明に従い調製した：
2004513188.tif 000031
2004513188.tif 000032
【０１２８】
例７
下記の洗濯洗剤組成物を錠剤または顆粒処方の形態で本発明に従い調製した：
2004513188.tif 000033
2004513188.tif 000034
【０１２９】
例８
下記の洗濯洗剤組成物を本発明に従い調製した：
2004513188.tif 000035
2004513188.tif 000036
【０１３０】
例９
下記の液体洗濯洗剤組成物を本発明に従い調製した：
2004513188.tif 000037
2004513188.tif 000038
【０１３１】
例１０
下記の非水性液体洗剤組成物を本発明に従い調製した：
2004513188.tif 000039
【０１３２】
例１１
下記の洗濯洗剤組成物を錠剤の形態で本発明に従い調製した：
ｉ）組成物Ｉの洗剤ベース粉末を次のように調製した：ベース組成物Ｉのすべての粒状物質をミキシングドラム中で一緒に混合して、均一な粒状混合物を形成した。この混合中にスプレー吹付けを行った。
ｉｉ）次いで錠剤を次のように製造した：マトリックス５０ｇを直径５．５ｃｍの環状形の型に導入して、１０ｋＰａの錠剤引張強度（または直径破断応力）をもつように圧縮した。
ｉｉｉ）次いで錠剤を１４０℃でセバシン酸９０重量部およびＭｅｔｓａ Ｓｅｒｌａ製のＮｙｍｃｅｌ−ＺＳＢ１６ＴＭ１０部からなる浴に浸漬した。錠剤を加熱浴へ浸漬する時間を、浴混合物４ｇを適用しうるように調整した。次いで錠剤を２５℃の環境温度で２４時間かけて冷却させた。コートされた錠剤の引張強度は３０ｋＰａの引張強度に増した。
【０１３３】
2004513188.tif 000040
【０１３４】
例１２
下記の固形洗濯洗剤組成物を本発明に従い調製した（レベルは部／重量で示されている；酵素は純粋酵素で表示されている）：
2004513188.tif 000041
【０１３５】
例１３
“ソフトニング・スルー・ザ・ウォッシュ”能力を発揮する下記の顆粒布帛洗剤組成物を本発明に従い調製した：
2004513188.tif 000042
【０１３６】
例１４
下記のすすぎ液添加布帛柔軟剤組成物を本発明に従い調製した：
2004513188.tif 000043
【０１３７】
例１５
下記の布帛柔軟剤および乾燥機添加布帛コンディショナー組成物を本発明に従い調製した：
2004513188.tif 000044
【０１３８】
例１６
下記のコンパクト高密度（０．９６Ｋｇ／Ｌ）皿洗い洗剤組成物を本発明に従い調製した：
2004513188.tif 000045
【０１３９】
例１７
嵩密度１．０２Ｋｇ／Ｌの下記顆粒皿洗い洗剤組成物を本発明に従い調製した：
2004513188.tif 000046
【０１４０】
例１８
下記の錠剤洗剤組成物を、標準１２ヘッドロータリープレスを用いて、１３ＫＮ／ｃｍ２の圧力下で顆粒皿洗い洗剤組成物の圧縮により、本発明に従い調製した：
2004513188.tif 000047
【０１４１】
例１９
密度１．４０Ｋｇ／Ｌの下記液体皿洗い洗剤組成物を本発明に従い調製した：
2004513188.tif 000048
【０１４２】
例２０
下記の皿洗い組成物を錠剤の形態で本発明に従い調製した（レベルはｇで表示されている）
2004513188.tif 000049
【０１４３】
多相錠剤組成物を次のように製造する。第１相の洗剤活性組成物を、顆粒および液体成分を混合することにより調製してから、慣用的なロータリープレスのダイに入れる。そのプレスは型を形成するために適した形状のパンチを備えている。ダイの横断面は約３０×３８ｍｍである。次いで組成物に９４０ｋｇ／ｃｍ２の圧縮力を加え、その後パンチを上昇させて、型を含んだ錠剤の第一相をその上面で露出させる。第２相の洗剤活性組成物も同様に調製して、そのダイへ入れる。次いで粒状活性組成物に１７０ｋｇ／ｃｍ２の圧縮力を加え、パンチを上昇させて、多相錠剤を打錠プレスから取出す。得られた錠剤は１２分間以内に前記のような洗濯機で溶解または崩壊し、錠剤の第２相は５分間以内に溶解する。その錠剤は、良好な錠剤一体性および強度と共に、優れた溶解およびクリーニング特性を示す。
【０１４４】
例２１
下記の手による皿洗い用組成物を本発明に従い調製した：
2004513188.tif 000050
2004513188.tif 000051
【０１４５】
例２２
以下は本発明による硬質表面用組成物である：
2004513188.tif 000052
【０１４６】
例２３
以下は本発明による硬質表面用組成物である：
2004513188.tif 000053
【０１４７】
例２４
以下は本発明による洗濯洗剤組成物である：
2004513188.tif 000054
【０１４８】
例２５
以下は本発明による洗濯洗剤組成物である：
2004513188.tif 000055
【０１４９】
例２６
以下は本発明による硬質表面用組成物である：
2004513188.tif 000056
2004513188.tif 000057
【０１５０】
例２７
以下は本発明による洗濯洗剤組成物である：
2004513188.tif 000058
【０１５１】
例２８
以下は本発明による洗濯洗剤組成物である：
2004513188.tif 000059
ＰＡＰはフタロイルイミドペルオキシヘキサン酸である。
ＤＰＤＡはジペルオキシドデカン酸である。
ＮＡＰＡＡはモノペルオキシコハク酸のモノノニルアミドである。
Ｃａｒｂｏｐｏｌ ＥＴＤ ２６９１はＢＦ Ｇｏｏｄｒｉｃｈ市販のポリアクリレートポリマーである。
Ｔｉｎｏｐａｌ ＳＯＰは増白剤である。
Ｎｏｒａｓｏｌ ＬＭＷ ４５Ｎはポリアクリレートポリマーである。
着色料はＣｏｓｍｅｎｙｌ Ｂｌｕｅ Ａ２Ｒである。
【国際公開パンフレット】
2004513188.tif 000060
2004513188.tif 000061
2004513188.tif 000062
2004513188.tif 000063
2004513188.tif 000064
2004513188.tif 000065
2004513188.tif 000066
2004513188.tif 000067
2004513188.tif 000068
2004513188.tif 000069
2004513188.tif 000070
2004513188.tif 000071
2004513188.tif 000072
2004513188.tif 000073
2004513188.tif 000074
2004513188.tif 000075
2004513188.tif 000076
2004513188.tif 000077
2004513188.tif 000078
2004513188.tif 000079
2004513188.tif 000080
2004513188.tif 000081
2004513188.tif 000082
2004513188.tif 000083
2004513188.tif 000084
2004513188.tif 000085
2004513188.tif 000086
2004513188.tif 000087
2004513188.tif 000088
2004513188.tif 000089
2004513188.tif 000090
2004513188.tif 000091
2004513188.tif 000092
2004513188.tif 000093
2004513188.tif 000094
2004513188.tif 000095
2004513188.tif 000096
2004513188.tif 000097
2004513188.tif 000098
2004513188.tif 000099
2004513188.tif 000100
2004513188.tif 000101
2004513188.tif 000102
2004513188.tif 000103
2004513188.tif 000104
2004513188.tif 000105
2004513188.tif 000106
2004513188.tif 000107
2004513188.tif 000108
2004513188.tif 000109
2004513188.tif 000110
2004513188.tif 000111
2004513188.tif 000112
2004513188.tif 000113
2004513188.tif 000114
2004513188.tif 000115
2004513188.tif 000116
2004513188.tif 000117
2004513188.tif 000118
2004513188.tif 000119
2004513188.tif 000120
2004513188.tif 000121
2004513188.tif 000122
2004513188.tif 000123
2004513188.tif 000124
2004513188.tif 000125
2004513188.tif 000126
2004513188.tif 000127
2004513188.tif 000128
2004513188.tif 000129
2004513188.tif 000130
2004513188.tif 000131
2004513188.tif 000132
2004513188.tif 000133
2004513188.tif 000134
2004513188.tif 000135
2004513188.tif 000136
2004513188.tif 000137
2004513188.tif 000138
2004513188.tif 000139
2004513188.tif 000140
2004513188.tif 000141
2004513188.tif 000142
2004513188.tif 000143
2004513188.tif 000144
2004513188.tif 000145
2004513188.tif 000146
2004513188.tif 000147
2004513188.tif 000148
2004513188.tif 000149
2004513188.tif 000150
2004513188.tif 000151
2004513188.tif 000152
2004513188.tif 000153
2004513188.tif 000154
2004513188.tif 000155
【国際公開パンフレット（コレクトバージョン）】
2004513188.tif 000156
【国際調査報告】
2004513188.tif 000157
2004513188.tif 000158
2004513188.tif 000159
2004513188.tif 000160
2004513188.tif 000161
2004513188.tif 000162
2004513188.tif 000163